(57)【要約】      （修正有）【課題】中継ノードとドナー基地局との間の無線リンクの起動および回復のための技法ならびに装置を提供する。【解決手段】中継ノードは、Ｕｕインターフェース動作とＵｎインターフェース動作との間で遷移するためにランダムアクセスチャネル（ＲＡＣＨ）を利用するランダムアクセス手順を実行する。中継ノードは、Ｕｎインターフェースに関するＲＡＣＨ手順を利用して、無線リンク障害（ＲＬＦ）回復を実行する。手順は、専用中継ＲＡＣＨリソースと中継物理ダウンリンク制御チャネル（Ｒ−ＰＤＣＣＨ）とを利用する。【選択図】図７
2014222882.tif 000002
【特許請求の範囲】
【請求項１】
ワイヤレス通信に関する方法であって、当該方法は下記を具備する。
基地局との無線リンクの障害を、中継器において検出することと、
前記無線リンク障害を検出した後で待機期間の間、遅らせることと、
前記待機期間の満了後に１つまたは複数のユーザ装置（ＵＥ）を解放すること。
【請求項２】
請求項１に記載の方法であって、
前記検出することは、無線リンク障害タイマの満了時に前記無線リンクの前記障害を検出すること。
【請求項３】
請求項２に記載の方法であって、
前記無線リンク障害タイマは、中継器固有の無線リンク障害タイマを備えること。
【請求項４】
請求項１に記載の方法であって、当該方法は更に下記を具備する。
前記待機期間の満了後にブロードキャストチャネルの送信を中止すること
。
【請求項５】
請求項１に記載の方法であって、
前記待機期間の間、遅らせることは、前記無線リンクの前記障害を検出した後でＵＥ解放タイマを起動させること及び前記ＵＥが前記ＵＥ解放タイマの満了後に解放されること。
【請求項６】
ワイヤレス通信に関する方法であって、当該方法は下記を具備する。
基地局との無線リンクの障害を、中継器において検出することと、
前記基地局と別の無線リンクを確立するためにランダムアクセスチャネル（ＲＡＣＨ）のリソースを使用すること、前記リソースは前記中継器による使用のために指定される。
【請求項７】
請求項６に記載の方法であって、
前記リソースが中継通信用に確保された複数のリソースのうちの１つであること。
【請求項８】
請求項６に記載の方法であって、
前記使用することは、
中継器固有のＲＡＣＨメッセージを前記基地局に送信することと、
前記基地局から中継器固有のＲＡＣＨ応答を受信することと
を備える。
【請求項９】
請求項８に記載の方法であって、
前記中継器固有のＲＡＣＨ応答が、中継物理ダウンリンク制御チャネル（Ｒ−ＰＤＣＣＨ）を経由して受信されること。
【請求項１０】
請求項６に記載の方法であって、当該方法は下記を更に具備する。
前記無線リンク障害を検出した後で待機期間の間、遅らせることと、
前記待機期間の満了後に１つまたは複数のユーザ装置（ＵＥ）を解放することと。
【請求項１１】
ワイヤレス通信に関する方法であって、当該方法は下記を具備する。
中継器との無線リンクの障害に応答して、前記中継器と別の無線リンクを確立するために、基地局において、前記中継器による使用のために指定された中継器固有のランダムアクセスチャネル（ＲＡＣＨ）のリソースを使用すること。
【請求項１２】
請求項１１に記載の方法であって、
前記使用することは、
前記中継器から中継器固有のＲＡＣＨメッセージを受信することと、
中継器固有のＲＡＣＨ応答を前記中継器に送信すること
。
【請求項１３】
請求項１２に記載の方法であって、
前記中継器固有のＲＡＣＨ応答は、中継物理ダウンリンク制御チャネル（Ｒ−ＰＤＣＣＨ）を経由して送信されること。
【請求項１４】
請求項１１に記載の方法であって、当該方法は下記を更に具備する。
前記中継器固有のＲＡＣＨ用に確保された複数のリソースの中から前記リソースを割り振ること。
【請求項１５】
請求項１１に記載の方法であって、
前記リソースは、中継通信用に確保された複数のリソースのうちの１つであること。
【請求項１６】
ワイヤレス通信に関する装置であって、
基地局との無線リンクの障害を検出するように構成されたリンク検出コンポーネントと、
前記無線リンク障害を検出した後で待機期間の間、遅らせ、前記待機期間の満了後に１つまたは複数のユーザ装置（ＵＥ）を解放するように構成された接続コンポーネントと
を備える装置。
【請求項１７】
前記リンク検出コンポーネントは、無線リンク障害タイマの満了時に前記無線リンクの前記障害を検出するようにさらに構成される、請求項１６に記載の装置。
【請求項１８】
前記無線リンク障害タイマは、中継器固有の無線リンク障害タイマを備える、請求項１７に記載の装置。
【請求項１９】
前記接続コンポーネントは、
前記待機期間の満了の後にブロードキャストチャネルの送信を中止する
ようにさらに構成される、請求項１６に記載の装置。
【請求項２０】
前記接続コンポーネントは、前記無線リンクの前記障害を検出した後でＵＥ解放タイマを起動させ、前記ＵＥ解放タイマの満了後に前記ＵＥを解放するようにさらに構成されている、請求項１６に記載の装置。
【請求項２１】
ワイヤレス通信に関する装置であって、
基地局との無線リンクの障害を検出するように構成されたリンク検出コンポーネントと、
前記基地局と別の無線リンクを確立するために、前記装置による使用のために指定された中継器固有のランダムアクセスチャネル（ＲＡＣＨ）のリソースを使用するように構成されたランダムアクセスコンポーネントと、
を備える装置。
【請求項２２】
前記ランダムアクセスコンポーネントによって使用される前記リソースが、中継通信用に確保された複数のリソースのうちの１つである、請求項２１に記載の装置。
【請求項２３】
前記ランダムアクセスコンポーネントは、
中継器固有のＲＡＣＨメッセージを前記基地局に送信し、
前記基地局から中継器固有のＲＡＣＨ応答を受信する、
ようにさらに構成されている、請求項２１に記載の装置。
【請求項２４】
前記ランダムアクセスコンポーネントが、中継物理ダウンリンク制御チャネル（Ｒ−ＰＤＣＣＨ）を経由して前記中継器固有のＲＡＣＨ応答を受信するようにさらに構成されている、請求項２３に記載の装置。
【請求項２５】
前記無線リンク障害を検出した後で待機期間の間、遅らせ、前記待機期間の満了後に１つまたは複数のユーザ装置（ＵＥ）を解放するように構成された接続コンポーネント、
をさらに備える、請求項２１に記載の装置。
【請求項２６】
ワイヤレス通信に関する装置であって、
中継器との無線リンクの障害に応答して、前記中継器と別の無線リンクを確立するために、前記中継器による使用のために指定された中継器固有のランダムアクセスチャネル（ＲＡＣＨ）のリソースを使用するように構成されたランダムアクセスコンポーネント、
を備える装置。
【請求項２７】
前記ランダムアクセスコンポーネントは、
前記中継器から中継器固有のＲＡＣＨメッセージを受信し、
中継器固有のＲＡＣＨ応答を前記中継器に送信する、
ようにさらに構成されている、
請求項２６に記載の装置。
【請求項２８】
前記ランダムアクセスコンポーネントは、中継物理ダウンリンク制御チャネル（Ｒ−ＰＤＣＣＨ）を経由して前記中継器固有のＲＡＣＨ応答を送信するようにさらに構成されている、請求項２７に記載の装置。
【請求項２９】
前記ランダムアクセスコンポーネントは、前記中継器固有のＲＡＣＨ用に確保された複数のリソースの中から前記リソースを割り振るようにさらに構成されている、請求項２６に記載の装置。
【請求項３０】
前記ランダムアクセスコンポーネントによって使用される前記リソースは、中継通信用に確保された複数のリソースのうちの１つである、請求項２６に記載の装置。
【請求項３１】
ワイヤレス通信に関する装置であって、
基地局との無線リンクの障害を検出するための手段と、
前記無線リンク障害を検出した後で待機期間の間、遅らせるための手段と、
前記待機期間の満了後に１つまたは複数のユーザ装置（ＵＥ）を解放するための手段と
を備える装置。
【請求項３２】
検出するための前記手段は、無線リンク障害タイマの満了時に前記無線リンクの前記障害を検出するように構成されている、請求項３１に記載の装置。
【請求項３３】
前記無線リンク障害タイマは、中継器固有の無線リンク障害タイマを備える、請求項３２に記載の装置。
【請求項３４】
前記待機期間の満了後にブロードキャストチャネルの送信を中止するための手段、
をさらに備える、請求項３１に記載の装置。
【請求項３５】
前記待機期間の間、遅らせるための前記手段は、前記無線リンクの前記障害を検出した後でＵＥ解放タイマを起動させるように構成され、前記ＵＥは前記ＵＥ解放タイマの満了後に解放される、請求項３１に記載の装置。
【請求項３６】
ワイヤレス通信に関する装置であって、
基地局との無線リンクの障害を検出するための手段と、
前記基地局と別の無線リンクを確立するために、前記装置による使用のために指定された中継器固有のランダムアクセスチャネル（ＲＡＣＨ）のリソースを使用するための手段と、
を備える装置。
【請求項３７】
前記リソースは、中継通信用に確保された複数のリソースのうちの１つである、請求項３６に記載の装置。
【請求項３８】
使用するための前記手段は、
前記基地局に中継器固有のＲＡＣＨメッセージを送信するための手段と、
前記基地局から中継器固有のＲＡＣＨ応答を受信するための手段と、
を備える、請求項３６に記載の装置。
【請求項３９】
前記中継器固有のＲＡＣＨ応答は、中継物理ダウンリンク制御チャネル（Ｒ−ＰＤＣＣＨ）を経由して受信される、請求項３８に記載の装置。
【請求項４０】
前記無線リンク障害を検出した後で待機期間の間、遅らせるための手段と、
前記待機期間の満了後に１つまたは複数のユーザ装置（ＵＥ）を解放するための手段と、
をさらに備える、請求項３６に記載の装置。
【請求項４１】
ワイヤレス通信に関する装置であって、
中継器との無線リンクの障害に応答して、前記中継器と別の無線リンクを確立するために、前記中継器固有のランダムアクセスチャネル（ＲＡＣＨ）のリソースを使用する手段を備える、ここで、前記リソースは前記中継器に用いられるために指定される。
【請求項４２】
使用するための前記手段は、
前記中継器から中継器固有のＲＡＣＨメッセージを受信するための手段と、
中継器固有のＲＡＣＨ応答を前記中継器に送信するための手段と、
を備える、請求項４１に記載の装置。
【請求項４３】
前記中継器固有のＲＡＣＨ応答は、中継物理ダウンリンク制御チャネル（Ｒ−ＰＤＣＣＨ）を経由して送信される、請求項４２に記載の装置。
【請求項４４】
前記中継器固有のＲＡＣＨ用に確保された複数のリソースの中から前記リソースを割り振るための手段、
をさらに備える、請求項４１に記載の装置。
【請求項４５】
前記リソースは、中継通信用に確保された複数のリソースのうちの１つである、請求項４１に記載の装置。
【請求項４６】
命令を記憶したコンピュータ可読媒体を備えたコンピュータプログラム製品であって、前記命令は、
中継器において、基地局との無線リンクの障害を検出し、
前記無線リンク障害を検出した後で待機期間の間、遅らせ、
前記待機期間の満了後に１つまたは複数のユーザ装置（ＵＥ）を解放する、ために、
１つまたは複数のプロセッサによって実行可能である、
コンピュータプログラム製品。
【請求項４７】
検出するための前記命令は、無線リンク障害タイマの満了時に前記無線リンクの前記障害を検出するための命令を備える、請求項４６に記載のコンピュータプログラム製品。
【請求項４８】
前記無線リンク障害タイマは、中継器固有の無線リンク障害タイマを備える、請求項４７に記載のコンピュータプログラム製品。
【請求項４９】
前記命令は、
前記待機期間の満了後にブロードキャストチャネルの送信を中止するための命令を
さらに備える、請求項４６に記載のコンピュータプログラム製品。
【請求項５０】
前記待機期間の間、遅らせるための前記命令は、前記無線リンクの前記障害を検出した後でＵＥ解放タイマを起動させるための命令を備え、前記ＵＥは前記ＵＥ解放タイマの満了後に解放される、請求項４６に記載のコンピュータプログラム製品。
【請求項５１】
命令を記憶したコンピュータ可読媒体を備えたコンピュータプログラム製品であって、前記命令は、
中継器において、基地局との無線リンクの障害を検出し、
前記基地局と別の無線リンクを確立するために、前記中継器による使用のために指定された中継器固有のランダムアクセスチャネル（ＲＡＣＨ）のリソースを使用する、
ために、１つまたは複数のプロセッサによって実行可能である、
コンピュータプログラム製品。
【請求項５２】
前記リソースは、中継通信用に確保された複数のリソースのうちの１つである、請求項５１に記載のコンピュータプログラム製品。
【請求項５３】
使用するための前記命令は、
中継器固有のＲＡＣＨメッセージを前記基地局に送信するための命令と、
前記基地局から中継器固有のＲＡＣＨ応答を受信するための命令と
を備える、請求項５１に記載のコンピュータプログラム製品。
【請求項５４】
前記中継器固有のＲＡＣＨ応答が、中継物理ダウンリンク制御チャネル（Ｒ−ＰＤＣＣＨ）を経由して受信される、請求項５３に記載のコンピュータプログラム製品。
【請求項５５】
前記無線リンク障害を検出した後で待機期間の間、遅らせるための命令と、
前記待機期間の満了後に１つまたは複数のユーザ装置（ＵＥ）を解放するための命令と、
をさらに備える、請求項５１に記載のコンピュータプログラム製品。
【請求項５６】
コンピュータプログラム製品は、命令を記憶したコンピュータ可読媒体を備え、
ここで、前記命令は、１つまたは複数のプロセッサによって実行可能であり、
中継器との無線リンクの障害に応答して、基地局において、前記命令が、前記中継器と他の無線リンクを確立するために、中継器固有のランダムアクセスチャネル（ＲＡＣＨ）のリソースを用いて、
１つまたは複数のプロセッサによって実行可能である、
ここで、前記リソースは、前記中継器によって用いられるために指定される
。
【請求項５７】
使用するための前記命令が、
前記中継器から中継器固有のＲＡＣＨメッセージを受信するための命令と、
中継器固有のＲＡＣＨ応答を前記中継器に送信するための命令と
を備える、請求項５６に記載のコンピュータプログラム製品。
【請求項５８】
前記中継器固有のＲＡＣＨ応答が、中継物理ダウンリンク制御チャネル（Ｒ−ＰＤＣＣＨ）を経由して送信される、請求項５７に記載のコンピュータプログラム製品。
【請求項５９】
前記中継器固有のＲＡＣＨ用に確保された複数のリソースの中から前記リソースを割り振るための命令
をさらに備える、請求項５６に記載のコンピュータプログラム製品。
【請求項６０】
前記リソースは、中継通信用に確保された複数のリソースのうちの１つである、請求項５６に記載のコンピュータプログラム製品。
【発明の詳細な説明】
【技術分野】
【０００１】
優先権の主張
本特許出願は、２０１０年４月５日に出願し、本譲受人に譲渡され、参照により本明細書に明示的に組み込まれている、「Ｍｅｔｈｏｄｓ  ａｎｄ  Ａｐｐａｒａｔｕｓ  ｔｏ  Ｆａｃｉｌｉｔａｔｅ  Ｒｅｌａｙ  Ｓｔａｒｔｕｐ，Ｓｙｓｔｅｍ  Ｉｎｆｏｒｍａｔｉｏｎ  Ｃｈａｎｇｅ，ａｎｄ  Ｒａｄｉｏ  Ｌｉｎｋ  Ｆａｉｌｕｒｅ（ＲＬＦ）Ｈａｎｄｌｉｎｇ」という名称の米国仮特許出願第６１／３２１，０５９号の優先権を主張するものである。
【０００２】
本開示のいくつかの態様は、一般に、ワイヤレス通信システムに関し、より詳細には、通信ネットワークにおいて中継器を動作させるための技法に関する。
【背景技術】
【０００３】
ワイヤレス通信システムは、音声、データなど、様々なタイプの通信コンテンツを提供するために広く展開されている。これらのシステムは、利用可能なシステムリソース（例えば、帯域幅および送信電力）を共有することによって、複数のユーザとの通信をサポートできる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムを含む。
【０００４】
一般に、ワイヤレス多元接続通信システムは、複数のワイヤレス端末に関する通信を同時にサポートすることができる。それぞれの端末は、順方向リンクおよび逆方向リンクにおける伝送により１つまたは複数の基地局と通信する。順方向リンク（すなわち、ダウンリンク）は、基地局から端末への通信リンクを指し、逆方向リンク（すなわち、アップリンク）は、端末から基地局への通信リンクを指す。この通信リンクは、単入力単出力（ＳＩＳＯ）、多入力単出力（ＭＩＳＯ）、または多入力多出力（ＭＩＭＯ）システムにより確立可能である。
【０００５】
従来のモバイル電話ネットワーク基地局を補完する目的で、より頑強なワイヤレスカバレージをモバイルユニットに提供するために追加の基地局を展開することが可能である。例えば、増分的な容量の増大、より豊富なユーザ経験、および屋内カバレージに関して、ワイヤレス中継局および（例えば、一般に、アクセスポイント基地局、ホームノードＢ、フェムトアクセスポイント、またはフェムトセルと呼ばれる）小カバレージ基地局（small-coverage base stations）を展開することが可能である。一般に、そのような小カバレージ基地局は、ＤＳＬルータまたはケーブルモデムを経由してインターネットおよびモバイルオペレータのネットワークに接続される。これら他のタイプの基地局は、従来の基地局（例えば、マクロ基地局）とは異なる形で従来のモバイル電話ネットワーク（例えば、バックホール）に追加可能であるため、これら他のタイプの基地局と、その関連するユーザ装置とを管理するための効果的な技法の必要性が存在する。
【発明の概要】
【０００６】
本開示のいくつかの態様は、ワイヤレス通信に関する方法を提供する。この方法は、概して、中継器において、基地局との無線リンクの障害を検出することと、無線リンク障害を検出した後で待機期間の間、遅らせること(delaying for a wait period)とを含む。この方法は、待機期間の満了後に１つまたは複数のユーザ装置（ＵＥ）を解放することをさらに含む。
【０００７】
本開示のいくつかの態様は、ワイヤレス通信に関する方法を提供する。この方法は、概して、中継器において、基地局との無線リンクの障害を検出することと、その基地局と別の無線リンクを確立するために、その中継器による使用のために指定された中継器固有のランダムアクセスチャネル（ＲＡＣＨ）のリソースを使用することとを含む。
【０００８】
本開示のいくつかの態様は、ワイヤレス通信に関する方法を提供する。この方法は、概して、中継器との無線リンクの障害に応答して、その中継器と別の無線リンクを確立するために、基地局において、その中継器による使用のために指定された中継器固有のＲＡＣＨのリソースを使用することを含む。
【０００９】
本開示のいくつかの態様は、ワイヤレス通信に関する装置を提供する。この装置は、概して、基地局との無線リンクの障害を検出するように構成されたリンク検出構成要素を含む。この装置は、無線リンク障害を検出した後で待機期間の間、遅らせ(delay for a wait period)、待機期間の満了後に１つまたは複数のＵＥを解放するように構成された接続構成要素をさらに含む。
【００１０】
本開示のいくつかの態様は、ワイヤレス通信に関する装置を提供する。この装置は、概して、基地局との無線リンクの障害を検出するように構成されたリンク検出構成要素を含む。この装置は、その基地局と別の無線リンクを確立するために、その装置による使用のために指定された中継器固有のＲＡＣＨのリソースを使用するように構成されたランダムアクセス構成要素を含むことも可能である。
【００１１】
本開示のいくつかの態様は、ワイヤレス通信に関する装置を提供する。この装置は、概して、中継器との無線リンクの障害に応答して、その中継器と別の無線リンクを確立するために、その中継器による使用のために指定された中継器固有のＲＡＣＨのリソースを使用するように構成されたランダムアクセス構成要素を含む。
【００１２】
本開示のいくつかの態様は、ワイヤレス通信に関する装置を提供する。この装置は、概して、基地局との無線リンクの障害を検出するための手段と、無線リンク障害を検出した後で待機期間の間、遅らせるための手段(means for delaying for a wait period)と、待機期間の満了後に１つまたは複数のＵＥを解放するための手段とを含む。
【００１３】
本開示のいくつかの態様は、ワイヤレス通信に関する装置を提供する。この装置は、概して、基地局との無線リンクの障害を検出するための手段と、その基地局と別の無線リンクを確立するために、その装置による使用のために指定された中継器固有のＲＡＣＨのリソースを使用する手段とを含む。
【００１４】
本開示のいくつかの態様は、ワイヤレス通信に関する装置を提供する。この装置は、概して、中継器との無線リンクの障害に応答して、その中継器と別の無線リンクを確立するために、その中継器による使用のために指定された中継器固有のＲＡＣＨのリソースを使用するための手段を含む。
【００１５】
本開示のいくつかの態様は、命令を記憶したコンピュータ可読媒体を備えたコンピュータプログラム製品を提供する。これらの命令は、概して、中継器において、基地局との無線リンクの障害を検出して、無線リンク障害を検出した後で待機期間の間、遅らせて(delaying for a wait period)、待機期間の満了後に１つまたは複数のＵＥを解放するために、１つまたは複数のプロセッサによって実行可能である。
【００１６】
本開示のいくつかの態様は、命令を記憶したコンピュータ可読媒体を備えたコンピュータプログラム製品を提供する。これらの命令は、概して、中継器において、基地局との無線リンクの障害を検出して、その基地局と別の無線リンクを確立するために、その中継器による使用のために(for use by the relay)指定された中継器固有のＲＡＣＨのリソースを使用するために、１つまたは複数のプロセッサによって実行可能である。
【００１７】
本開示のいくつかの態様は、命令を記憶したコンピュータ可読媒体を備えたコンピュータプログラム製品を提供する。これらの命令は、概して、中継器との無線リンクの障害に応答して、その中継器と別の無線リンクを確立するために、基地局において、その中継器による使用のために指定された中継器固有のＲＡＣＨのリソースを使用するために、１つまたは複数のプロセッサによって実行可能である。
【００１８】
本開示の上に列挙された特徴の様式を詳細に理解できるように、そのうちのいくつかが添付の図面で例示される態様を参照することによって、上で簡単に要約された、より詳細な説明を理解されよう。しかし、添付の図面は、本開示のいくつかの典型的な態様を単に例示し、したがって、この説明は他の等しく効果的な態様を導くことが可能であるため、これらの図面は、その範囲を限定すると見なされるべきでない点に留意されたい。
【図面の簡単な説明】
【００１９】
【図１】多元接続ワイヤレス通信システムを例示する図。
【図２】通信システムのブロック図。
【図３】本開示のいくつかの態様による、中継基地局を用いたある例示的なワイヤレス通信システムを示す図。
【図４】本開示のいくつかの態様による、中継ノードを用いたある例示的なワイヤレス通信システムのブロック図。
【図５】本開示のいくつかの態様による、無線リンクを管理するように構成された例示的な通信装置を示す図。
【図６】本開示のいくつかの態様による、中継器の起動に関する例示的な動作を示すシーケンス図。
【図７】本開示のいくつかの態様による、無線リンク障害（ＲＬＦ）を検出した後で１つまたは複数のユーザ装置（ＵＥ）を解放するために、通信装置によって実行可能な例示的な動作を示す図。
【図８】本開示のいくつかの態様による、以前の無線リンクの障害の後に別の無線リンクを確立するために、通信装置によって実行可能な例示的な動作を示す図。
【図９】本開示のいくつかの態様による、中継器リンク障害回復のための例示的な動作を示すシーケンス図。
【図１０】本開示のいくつかの態様による、以前の無線リンクの障害の後に別の無線リンクを確立するために、通信装置によって実行可能な例示的な動作を示す図。
【発明を実施するための形態】
【００２０】
中継器(relay)を有する一部のワイヤレスネットワークでは、Ｕｎインターフェースを介して中継器とドナー基地局との間のバックホールリンク(backhaul link)が提供される。いくつかの態様によれば、Ｕｎインターフェースの活性化は、中継器とドナー基地局との間のＵｕインターフェース動作からＵｎインターフェース動作への遷移を必要とする。そのような場合、中継ノードおよびドナー基地局は、中継ノードとドナー基地局との間で通信するために、所与の時点で、どのタイプのインターフェースが使用されているか、すなわち、Ｕｕが使用されているか、またはＵｎが使用されているかを知らなければならない可能性がある。そうでない場合、中継器における遷移時間とドナー基地局における遷移時間との間の同期の欠如は、例えば、ハイブリッド自動再送要求（ＨＡＲＱ）タイムラインが変更された場合、または、中継物理ダウンリンク制御チャネル（Ｒ−ＰＤＣＣＨ）など、新しいチャネルが利用される場合、物理層において問題を引き起こす可能性がある。したがって、中継器とドナー基地局との間のＵｕインターフェース動作からＵｎインターフェース動作へのこの遷移は、ハード遷移（hard transition）を必要とし、それによって、Ｕｕ動作とＵｎ動作との間に厳密な分界境界（demarcation boundary）を提供することができる。本開示のいくつかの態様によれば、Ｕｎ−Ｕｕインターフェース遷移に関してこのハード境界（hard boundary）を提供する、ランダムアクセスチャネル（ＲＡＣＨ）プロセスとＲ−ＰＤＣＣＨとを利用してＵｎインターフェースを確立するための中継器の起動手順が本明細書で説明される。
【００２１】
加えて、いくつかの事例では、中継器は、中継器とドナー基地局との間のバックホールリンクにおいて無線リンク障害（障害または失敗または故障：failure）（ＲＬＦ）を引き起こす可能性がある無線問題を経験する場合がある。中継器はワイヤレス端末より困難でない無線環境を有する場合があるが、中継器は、（例えば、通過車両による）伝搬、（例えば、ネットワーク負荷による）干渉、ならびに（例えば、容量に関して、基地局および周波数のスイッチが動的にオフにされる）配備に関する変化を経験する可能性がある。したがって、本開示のいくつかの態様は、中継器とドナー基地局との間のバックホールリンクのＲＬＦから回復するために、Ｕｎインターフェースを確立するための手順を提供する。いくつかの態様によれば、中継器は、中継器用にリソースにおいて確保されたＲＡＣＨとＲ−ＰＤＣＣＨベースのＲＡＣＨ応答とを伴うＵｎ  ＲＡＣＨ手順を利用することができる。
【００２２】
本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに関して使用可能である。「ネットワーク」および「システム」という用語は、多くの場合、交換可能に使用される。ＣＤＭＡネットワークは、ユニバーサル地上無線アクセス（ＵＴＲＡ）、ｃｄｍａ２０００などの無線技術を実施することが可能である。ＵＴＲＡは、広帯域ＣＤＭＡ（Ｗ−ＣＤＭＡ）と低チップレート（ＬＣＲ）とを含む。ｃｄｍａ２０００は、ＩＳ−２０００標準、ＩＳ−９２標準、およびＩＳ−８５６標準をカバーする。ＴＤＭＡネットワークは、広域移動通信システム（ＧＳＭ）（登録商標）などの無線技術を実施することが可能である。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）などの無線技術を実施することが可能である。ＵＴＲＡ、Ｅ−ＵＴＲＡ、およびＧＳＭは、ユニバーサル移動通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた団体からの文献において説明されている。ｃｄｍａ２０００は、「第３世代パートナーシッププロジェクト２（３ＧＰＰ２）と名付けられた団体からの文献において説明されている。これらの様々な無線技術および無線標準が当技術分野で知られている。分かり易くするために、これらの技法のいくつかの態様は、下で、ＬＴＥに関して説明され、下の説明の大部分においてＬＴＥ専門用語が使用される。
【００２３】
シングルキャリア変調およびシングルキャリア周波数領域等化を利用するシングルキャリア周波数分割多元接続（ＳＣ−ＦＤＭＡ）は、ある技法である。ＳＣ−ＦＤＭＡは、ＯＦＤＭＡシステムと類似のパフォーマンスと、ＯＦＤＭＡシステムの総合複雑性と本質的に同じ総合複雑性とを有する。ＳＣ−ＦＤＭＡ信号は、その固有のシングルキャリア構造により、より低いピーク対平均電力比（ＰＡＰＲ）を有する。ＳＣ−ＦＤＭＡは、特に、送信電力効率の点で、より低いＰＡＰＲがモバイル端末の大きな利益になるアップリンク通信において、大きな注目を集めている。ＳＣ−ＦＤＭＡは、現在、３ＧＰＰロングタームエボリューション（ＬＴＥ）、または進化型ＵＴＲＡにおけるアップリンク多元接続方式に関する作業仮説である。
【００２４】
図１を参照すると、一態様による、多元接続ワイヤレス通信システムが例示される。アクセスポイント１００（ＡＰ）は、複数のアンテナグループ、すなわち、アンテナ１０４および１０６を含むあるアンテナグループと、アンテナ１０８および１１０を含む別のアンテナグループと、アンテナ１１２および１１４を含むさらに別のアンテナグループとを含む。図１では、それぞれのアンテナグループに関して２本のアンテナだけが示されているが、それぞれのアンテナグループに関して、より多くのアンテナまたはより少ないアンテナを利用することが可能である。アクセス端末１１６（ＡＴ）は、アンテナ１１２および１１４と通信中であり、この場合、アンテナ１１２および１１４は、順方向リンク１２０を介して情報をアクセス端末１１６に送信して、逆方向リンク１１８を介して情報をアクセス端末１１６から受信する。アクセス端末１２２は、アンテナ１０６および１０８と通信中であり、この場合、アンテナ１０６および１０８は、順方向リンク１２６を介して情報をアクセス端末１２２に送信して、逆方向リンク１２４を介して情報をアクセス端末１２２から受信する。ＦＤＤシステムでは、通信リンク１１８、１２０、１２４、および１２６は、通信のために異なる周波数を使用することができる。例えば、順方向リンク１２０は、逆方向リンク１１８によって使用される周波数と異なる周波数を使用することができる。
【００２５】
アンテナのそれぞれのグループおよび／またはそれらのアンテナが通信するように設計された領域は、多くの場合、アクセスポイントのセクタと呼ばれる。図１に示される態様では、それぞれのアンテナグループは、アクセスポイント１００によってカバーされた領域のセクタ内のアクセス端末と通信するように設計される。
【００２６】
順方向リンク１２０および１２６を介した通信では、アクセスポイント１００の送信アンテナは、異なるアクセス端末１１６および１２４に関する順方向リンクの信号対雑音比（ＳＮＲ）を改善するために、ビーム形成を利用する。また、アクセスポイントがそのカバレージの全体にわたってランダムに分散されアクセス端末に送信するためにビーム形成を使用することは、アクセスポイントが単一のアンテナを介してすべてのそのアクセス端末に送信することよりも、隣接セル内のアクセス端末に対してより少ない干渉を引き起こす。
【００２７】
いくつかの態様によれば、ＡＴ１１６は、Ｕｕインターフェースなど、無線インターフェースを用いてＡＰ１００と通信することができる。さらに、追加のＡＰ１００は、Ｘ２として知られているインターフェースを用いて互いと相互接続可能であり、Ｓ１インターフェースを用いて、拡張パケットコア（ＥＰＣ）ノードなどのネットワークノードに対して相互接続可能である。
【００２８】
アクセスポイントは、端末と通信するために使用される固定局であってよく、基地局、ノードＢ、進化型ノードＢ（ｅＮＢ）、ｅノードＢ、またはいくつかのその他の専門用語で呼ばれる場合もある。アクセス端末は、移動局（ＭＳ）、ユーザ装置（ＵＥ）、ワイヤレス通信デバイス、ワイヤレス端末、またはいくつかのその他の専門用語で呼ばれる場合もある。
【００２９】
図２は、ＭＩＭＯシステム２００内の（アクセスポイントとしても知れている）送信機システム２１０と（アクセス端末としても知られている）受信機システム２５０のある態様のブロック図である。送信機システム２１０において、いくつかのデータストリーム用のトラフィックデータがデータソース２１２から送信（ＴＸ）データプロセッサ２１４に提供される。
【００３０】
一態様では、それぞれのデータストリームは、それぞれの送信アンテナを介して送信される。ＴＸデータプロセッサ２１４は、そのデータストリームに関して選択された特定の符号化方式に基づいて、それぞれのデータストリームに関するトラフィックデータをフォーマット、符号化、およびインタリーブして、符号化されたデータを提供する。
【００３１】
それぞれのデータストリームに関して符号化されたデータは、ＯＦＤＭ技法を使用して、パイロットデータと多重化可能である。パイロットデータは、一般に、知られている形で処理される、知られているデータパターンであり、チャネル応答を推定するために受信機システムにおいて使用可能である。それぞれのデータストリームに関して多重化されたパイロットデータおよび符号化されたデータは、次いで、そのデータストリームに関して選択された特定の変調方式（例えば、ＢＰＳＫ、ＱＳＰＫ、Ｍ−ＰＳＫ、またはＭ−ＱＡＭ）に基づいて変調されて（すなわち、シンボルマッピングされて）、変調シンボルを提供する。それぞれのデータストリームに関するデータ転送速度、符号化、および変調は、プロセッサ２３０によって実行される命令によって決定可能である。
【００３２】
すべてのデータストリームに関する変調シンボルは、次いで、（例えば、ＯＦＤＭの場合）変調シンボルをさらに処理することが可能なＴＸ  ＭＩＭＯプロセッサ２２０に提供される。ＴＸ  ＭＩＭＯプロセッサ２２０は、次いで、ＮT個の変調シンボルストリームをＮT個の送信機（ＴＭＴＲ）２２２ａ乃至２２２ｔに提供する。いくつかの態様では、ＴＸ  ＭＩＭＯプロセッサ２２０は、データストリームのシンボルと、そこからそのシンボルが送信されているアンテナとにビーム形成重みを加える。
【００３３】
それぞれの送信機２２２は、それぞれのシンボルストリームを受信し処理して、１つまたは複数のアナログ信号を提供し、それらのアナログ信号をさらに条件付け（例えば、増幅、フィルタリング、およびアップコンバート）して、ＭＩＭＯチャネルを介して送信するのに適した変調信号を提供する。送信機２２２ａ乃至２２２ｔからのＮT個の変調信号は、次いで、それぞれ、ＮT本のアンテナ２２４ａ乃至２２４ｔから送信される。
【００３４】
受信機システム２５０において、送信された変調信号は、ＮR本のアンテナ２５２ａ乃至２５２ｒによって受信されて、それぞれのアンテナ２５２から受信された信号は、それぞれの受信機（ＲＣＶＲ）２５４ａ乃至２５４ｒに提供される。それぞれの受信機２５４は、それぞれの受信された信号を条件付け（例えば、フィルタリング、増幅、およびダウンコンバート）し、その条件付けされた信号をデジタル化して、サンプルを提供し、さらにこれらのサンプルを処理して、対応する「受信された」シンボルストリームを提供する。
【００３５】
ＲＸデータプロセッサ２６０は、次いで、ＮＲ受信機２５４からＮR個の受信シンボルストリームを受信して、特定の受信機処理技法に基づいて、それらの受信シンボルストリームを処理して、ＮT個の「検出された」シンボルストリームを提供する。ＲＸデータプロセッサ２６０は、次いで、それぞれの検出されたシンボルストリームを復調、ディインターリーブ(deinterleaves)、および復号して、そのデータストリームに関するトラフィックデータを回復する。ＲＸデータプロセッサ２６０による処理は、送信機システム２１０においてＴＸ  ＭＩＭＯプロセッサ２２０およびＴＸデータプロセッサ２１４によって実行される処理に対して補完的である。
【００３６】
逆方向リンクメッセージは、通信リンクおよび／または受信されたデータストリームに関する様々なタイプの情報を備えることが可能である。逆方向リンクメッセージは、次いで、データソース２３６からいくつかのデータストリームに関するトラフィックデータをやはり受信するＴＸデータプロセッサ２３８によって処理され、変調器２８０によって変調され、送信機２５４ａ乃至２５４ｒによって条件付けされ、送信機システム２１０に送信し戻される。
【００３７】
送信機システム２１０において、変調信号は、アンテナ２２４によって受信機システム２５０から受信されて、受信機２２２によって条件付けされて、復調器２４０によって復調されて、ＲＸデータプロセッサ２４２によって処理されて、受信機システム２５０によって送信された逆方向リンクメッセージ(reserve link message)を抽出する。プロセッサ２３０は、次いで、ビーム形成重み(beamforming weights)を決定するためにどのプリコーディング行列(pre-coding matrix)を使用するかを決定し、次いで、抽出されたメッセージを処理する。
【００３８】
本開示のいくつかの態様によれば、送信機システム２１０は、本明細書で説明されるように、中継ノードを有するワイヤレス通信ネットワーク内で動作するための追加の構成要素を含む。詳細には、送信機システム２１０は、図４〜図５に示されるようなドナー基地局として構成可能である。いくつかの態様によれば、送信機システム２１０は、下で説明されるように、中継器の起動動作およびＲＬＦ回復動作を実行するように構成可能である。
【００３９】
いくつかの態様によれば、送信機システム２１０および受信機システム２５０は、本明細書で説明されるように、無線リンクの障害を検出するように構成可能である。例えば、プロセッサ２３０、２７０は、無線リンクタイマを利用するように構成可能であり、タイマの満了は無線リンク障害を示すことが可能である。いくつかの態様によれば、送信機システム２１０は、通信中の送信機システム２１０と中継ノードとの間の無線リンクの障害の表示を検出するように、または受信するように構成可能である。
【００４０】
いくつかの態様によれば、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、マルチメディアブロードキャストおよびマルチキャストサービス（ＭＢＭＳ）スケジューリングと、１つまたはいくつかのＭＴＣＨに関する制御情報とを送信するために使用されるポイントツーマルチポイントＤＬチャネルであるマルチキャスト制御チャネル（ＭＣＣＨ）とを備える。通常、ＲＲＣ接続を確立した後で、このチャネルは、ＭＢＭＳを受信するＵＥだけによって使用される（注記：旧ＭＣＣＨ＋ＭＳＣＨ）。専用制御チャネル（ＤＣＣＨ）は、専用制御情報を送信し、ＲＲＣ接続を有するＵＥによって使用されるポイントツーポイント双方向チャネルである。一態様では、論理トラフィックチャネルは、ユーザ情報を転送するための、１つのＵＥに専用のポイントツーポイント双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントＤＬチャネルである。
【００４１】
いくつかの態様によれば、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを備え、ＰＣＨは、セル全体にわたってブロードキャストされ、他の制御チャネル／トラフィックチャネルに関して使用可能なＰＨＹリソースにマッピングされるＵＥ電力節約をサポートする（ＤＲＸサイクルがネットワークによってＵＥに示される）ためにある。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ＤＬチャネルとＵＬチャネルのセットを備える。
【００４２】
ＤＬ  ＰＨＹチャネルは以下を備える：
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
確認通知チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を備える：
物理ランダムアクセスチャネル（ＰＲＡＣＨ）
チャネル品質インジケータチャネル（ＣＱＩＣＨ）
確認通知チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
本明細書のために、以下の省略が適用される：
ＡＣＫ  確認通知
ＡＭ  確認通知モード
ＡＭＩＤ  確認通知モードデータ
ＡＲＱ  自動再送要求
ＢＣＣＨ  ブロードキャスト制御チャネル
ＢＣＨ  ブロードキャストチャネル
ＢＷ  帯域幅
Ｃ−  制御
ＣＢ  競合に基づく
ＣＣＥ  制御チャネル要素
ＣＣＣＨ  共通制御チャネル
ＣＣＨ  制御チャネル
ＣＣＴｒＣＨ  符号化複合トランスポートチャネル（Coded Composite Transport Channel）
ＣＤＭ  符号分割多重
ＣＦ  無競合
ＣＰ  巡回プレフィックス
ＣＱＩ  チャネル品質インジケータ
ＣＲＣ  巡回冗長検査
ＣＲＳ  共通基準信号
ＣＴＣＨ  共通トラフィックチャネル
ＤＣＣＨ  専用制御チャネル
ＤＣＨ  専用チャネル
ＤＣＩ  ダウンリンク制御情報
ＤＬ  ダウンリンク
ＤＲＳ  専用基準信号
ＤＳＣＨ  ダウンリンク共有チャネル
ＤＳＰ  デジタル信号プロセッサ
ＤＴＣＨ  専用トラフィックチャネル
Ｅ−ＣＩＤ  拡張セル識別
ＥＰＳ  発展型パケットシステム
ＦＡＣＨ  順方向リンクアクセスチャネル
ＦＤＤ  周波数分割複信
ＦＤＭ  周波数分割多重
ＦＳＴＤ  周波数切替え送信ダイバーシティ（Frequency Switched Transmit Diversity）
ＨＡＲＱ  ハイブリッド自動再送／要求
ＨＷ  ハードウェア
ＩＣ  干渉除去
Ｌ１  レイヤ１（物理層）
Ｌ２  レイヤ２（データリンク層）
Ｌ３  レイヤ３（ネットワーク層）
ＬＩ  長さインジケータ
ＬＬＲ  対数尤度比
ＬＳＢ  最下位ビット
ＭＡＣ  媒体アクセス制御
ＭＢＭＳ  マルチメディアブロードキャストマルチキャストサービス
ＭＣＣＨ  ＭＢＭＳポイントツーマルチポイント制御チャネル
ＭＭＳＥ  最小平均２乗誤差
ＭＲＷ  移動受信ウィンドウ（Move Receiving Window）
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＮＡＣＫ  否定応答
ＰＡ  電力増幅器
ＰＢＣＨ  物理ブロードキャストチャネル
ＰＣＣＨ  ページング制御チャネル
ＰＣＨ  ページングチャネル
ＰＣＩ  物理セル識別子
ＰＤＣＣＨ  物理ダウンリンク制御チャネル
ＰＤＵ  プロトコルデータユニット
ＰＨＩＣＨ  物理ＨＡＲＱインジケータチャネル
ＰＨＹ  物理層
ＰｈｙＣＨ  物理チャネル
ＰＭＩ  プリコーディングマトリックスインジケータ
ＰＲＡＣＨ  物理ランダムアクセスチャネル
ＰＳＳ  優先同期信号
ＰＵＣＣＨ  物理アップリンク制御チャネル
ＰＵＳＣＨ  物理アップリンク共有チャネル
ＱｏＳ  サービス品質
ＲＡＣＨ  ランダムアクセスチャネル
ＲＢ  リソースブロック
ＲＬＣ  無線リンク制御
ＲＲＣ  無線リソース制御
ＲＥ  リソース要素
ＲＩ  ランク指標
ＲＮＴＩ  無線ネットワーク一次識別子
ＲＳ  基準信号
ＲＴＴ  ラウンドトリップタイム
Ｒｘ  受信
ＳＡＰ  サービスアクセスポイント
ＳＤＵ  サービスデータユニット
ＳＦＢＣ  空間周波数ブロックコード
ＳＨＣＣＨ  共有チャネル制御チャネル
ＳＩＮＲ  信号対干渉雑音比
ＳＮ  シーケンス番号
ＳＲ  スケジューリング要求
ＳＲＳ  サウンディング基準信号
ＳＳＳ  セカンダリ同期信号
ＳＵ−ＭＩＭＯ  シングルユーザ多入力多出力
ＳＵＦＩ  スーパーフィールド（SUper field）
ＳＷ  ソフトウェア
ＴＡ  タイミングアドバンス
ＴＣＨ  トラフィックチャネル
ＴＤＤ  時分割複信
ＴＤＭ  時分割多重
ＴＦＩ  トランスポートフォーマットインジケータ
ＴＰＣ  送信電力制御
ＴＴＩ  送信時間間隔
Ｔｘ  送信
Ｕ−  ユーザ
ＵＥ  ユーザ装置
ＵＬ  アップリンク
ＵＭ  非確認モード
ＵＭＤ  非確認モードデータ
ＵＭＴＳ  ユニバーサル移動通信システム
ＵＴＲＡ  ＵＭＴＳ地上無線アクセス
ＵＴＲＡＮ  ＵＭＴＳ地上無線アクセスネットワーク
ＶＯＩＰ  ボイスオーバインターネットプロトコル
ＭＢＳＦＮ  マルチキャストブロードキャスト単一周波数ネットワーク
ＭＣＨ  マルチキャストチャネル
ＤＬ−ＳＣＨ  ダウンリンク共有チャネル
ＰＤＣＣＨ  物理ダウンリンク制御チャネル
ＰＤＳＣＨ  物理ダウンリンク共有チャネル
例示的な中継システム
ワイヤレス通信システムは、ワイヤレス端末にサービスを提供するために、ドナー基地局に関連する中継基地局を備えることが可能である。中継基地局は、所与の地理的領域内でカバレージを補完および拡張するために使用可能である。中継基地局は、「Ｕｎインターフェース」と呼ばれることもあるバックホールリンクを経由してドナー基地局と通信することができ、「Ｕｕインターフェース」と呼ばれることもあるアクセスリンクを経由して端末と通信することができる。通常、中継基地局は、バックホールリンクを介してドナー基地局からメッセージを受信して、これらのメッセージを端末に中継することができる。同様に、中継基地局は、アクセスリンクを介して端末からメッセージを受信して、これらのメッセージをドナー基地局に中継することができる。したがって、中継基地局とドナー基地局との間のバックホールリンクは、中継器との通信ネットワークの重要な部分を表す。中継基地局とドナー基地局との間のバックホールリンクは、したがって、初期化、構成、信頼性、および弾性に関する課題に直面する。したがって、ワイヤレスネットワーク内で中継器とドナー基地局との間のバックホールリンクを管理するための技法および機構に対する需要が存在する。
【００４３】
図３は、本開示のいくつかの態様を実践することが可能なある例示的なワイヤレスシステム３００を示す。例示されるように、システム３００は、（中継アクセスポイントまたは中継ノードとしても知られている）中継ＢＳ３０６を経由して、ユーザ装置（ＵＥ）３０４と通信する（ドナーアクセスポイント（ＡＰ）、ドナーＢＳ、ドナーｅノードＢ、またはＤｅＮＢとしても知られている）ドナー基地局３０２を含む。中継ＢＳ３０６は、バックホールリンク３０８を経由してドナーＢＳ３０２と通信して、アクセスリンク３１０を経由してＵＥ３０４と通信することができる。
【００４４】
すなわち、中継ＢＳ３０６は、バックホールリンク３０８を介してドナーＢＳ３０２からダウンリンクメッセージを受信して、アクセスリンク３１０を介してこれらのメッセージをＵＥ３０４に中継することができる。同様に、中継ＢＳ３０６は、アクセスリンク３１０を介してＵＥ３０４からアップリンクメッセージを受信して、バックホールリンク３０８を介してこれらのメッセージをドナーＢＳ３０２に中継することができる。中継ＢＳ３０６は、したがって、カバレージ領域を補完して、「カバレージホール（coverage holes）」を満たすのを助けるために使用可能である。
【００４５】
いくつかの態様によれば、中継ＢＳ３０６は、中継ＢＳ３０６とＵＥ３０４とを接続しているアクセスリンク３１０における少なくともＵｕインターフェースを利用して、ＵＥ３０４と通信すること（すなわち、ダウンリンクメッセージをＵＥに中継し、ＵＥからアップリンクメッセージを受信すること）ができる。いくつかの態様によれば、中継ＢＳ３０６は、バックホールリンク３０８における中継ＢＳ３０６とドナーＢＳ３０２とを接続しているＵｎインターフェースを利用して、ドナーＢＳ３０２と通信することができる。
【００４６】
図４は、本開示のいくつかの態様による、中継器の起動およびＲＬＦ回復に関する技法を実行するように構成されたある例示的なシステム４００のブロック図を示す。例示的なシステム４００は、複数のＵＥ４１０と、中継ノード４２０と、基地局４３０、４３５と、ネットワークノード４４０とを有するワイヤレス通信ネットワークを表す。
【００４７】
基地局４３０は、中継ノード４２０のドナー基地局として動作する。したがって、中継ノード４２０は、ＵＥ４１０と基地局４３０との間でワイヤレス通信を中継することによって、複数のＵＥ４１０にサービス提供することができる。基地局４３０は、複数のＵＥ４１０と少なくとも１つのネットワークノード４４０との間に通信を提供することができる。加えて、基地局４３０は、負荷、干渉、またはハンドオーバ関連情報を共有するために、基地局４３５と相互接続可能である。ネットワークノード４４０は、ＵＥ４１０に関するネットワークサービスを管理するように構成可能である。
【００４８】
概して、ネットワークノード４４０は、ＵＥ４１０、中継ノード４２０、および基地局４３０、４３５に送信された制御プレーン信号（control plane signals）を介してシステム４００の接続を管理する。いくつかの態様によれば、ネットワークノード４４０は、中継ノード４２０をシステム４００に接続し、システム４００内で中継器として動作するように中継ノード４２０を構成し、中継ノード４２０の無線リンクが障害を起こした場合、中継ノード４２０との接続を回復するための非アクセス階層（ＮＡＳ）手順を実行することができる。いくつかの態様によれば、ネットワークノード４４０は、モビリティ管理エンティティ（mobility management entity）（ＭＭＥ）など、拡張パケットコア（ＥＰＣ）ネットワークノードであってよい。
【００４９】
図５は、本開示のいくつかの態様による、通信中の中継ノード５００とドナー基地局５１０とを例示する。本開示のいくつかの態様は、中継ノード５００およびドナー基地局５１０に関して議論されるが、ワイヤレスネットワーク内で信号を１つもしくは複数の異種デバイスに送信するマクロセル、フェムトセル、ピコセル、アクセスポイント、モバイル基地局、それらの一部、および／または実質的に任意のワイヤレスデバイスなど、その他の適切な通信装置が企図される点を理解されたい。いくつかの態様によれば、中継ノード５００およびドナー基地局５１０は、図４で説明されたような中継ノード４２０および基地局４３０であってよい。
【００５０】
中継ノード５００は、概して、リンク検出構成要素５０２と、無線リソース制御（ＲＲＣ）構成要素５０４と、ＲＡＣＨ構成要素５０６とを含む。リンク検出構成要素５０２は、概して、本明細書で説明される無線リンク障害検出動作を実行するように構成される。例えば、リンク検出構成要素５０２は、中継ノード５００をドナー基地局５１０と接続している無線リンクの障害を検出するように構成される。ＲＲＣ構成要素５０４は、概して、ドナー基地局５１０と少なくとも１つのＵＥとの接続を確立およびサポートするための無線リソース動作を実行するように構成される。いくつかの態様によれば、ＲＲＣ構成要素５０４は、少なくとも１つのＵＥを解放するようにさらに構成可能である。ＲＡＣＨ構成要素５０６は、下でさらに詳細に説明されるように、ＲＡＣＨ動作を実行するように構成される。いくつかの態様によれば、ＲＡＣＨ構成要素５０６は、中継器固有の(relay-specific)Ｒ−ＰＤＣＣＨと、バックホールリンクを起動または回復させるための中継器固有の無線リソース(relay-specific radio resource)とを使用するＲＡＣＨ手順を実行するように構成される。
【００５１】
ドナー基地局５１０は、概して、中継ノードサービス提供およびＰＤＮゲートウェイ（Ｓ／Ｐ−ＧＷ）構成要素５１２と、ＲＲＣ構成要素５１４と、ＲＡＣＨ構成要素５１６とを含む。通常、ＲＲＣ構成要素５１４およびＲＡＣＨ構成要素５１６に関する議論は中継ノード５００のそれぞれの構成要素に同様に適用されることを理解されたい。対応するＲＲＣ構成要素５０４、５１４、およびＲＡＣＨ構成要素５０６、５１６は、本明細書で説明される動作を実行するために、シグナリングならびにその他の要求メッセージおよび応答メッセージを使用して通信することが可能である点をさらに理解されたい。例えば、ＲＡＣＨ構成要素５０６は、ランダムアクセス手順を実行するために、ＲＡＣＨメッセージを基地局５１０のＲＡＣＨ構成要素５１６に送信することができる。別の例では、下で説明されるいくつかの態様によれば、中継器５００のＲＲＣ構成要素５０４は、Ｕｎインターフェースに対してそのインターフェースを再構成する前に、まず中継器５００と基地局５１０との間にＵｕインターフェースを確立するために、ＲＲＣ接続セットアップ要求を基地局５１０のＲＲＣ構成要素５１４に送信することができる。
【００５２】
例示的な中継器の起動
図６は、本開示のいくつかの態様による、中継器の起動に関する例示的な動作を示すシーケンス図である。上で説明されたように、本開示のいくつかの態様は、中継ノードがＲＡＣＨプロセスを利用してＵｕインターフェースからＵｎインターフェースに遷移するためのある例示的な手順を提供する。分かり易くするために、これらの動作は、図４に示される例示的なシステム４００によって実行されているとして示されるが、これらの例示的な動作は、本開示の態様による任意の適切な装置および構成要素によって実行可能である点を理解されたい。
【００５３】
これらの例示的な動作は、中継ノードがＵｕインターフェース方法を使用して、ドナー基地局に接続することができる６０２から開始する。すなわち、中継ノードは、ＵＥがドナー基地局と接続することになる手順と類似した手順を使用して、ドナー基地局に接続することができる。いくつかの態様によれば、中継ノードおよびドナー基地局は、ＲＲＣ接続要求メッセージ(RRC Connection Request message)、ＲＲＣ接続セットアップメッセージ(RRC Connection Setup message)、およびＲＲＣ接続セットアップ完了メッセージ(RRC Connection Setup Complete message)を交換することを含めて、ＲＲＣ接続確立手順(RRC connection establishment procedure)を実行することができる。いくつかの態様によれば、中継ノードは、接続が確立されているという、中継ノードに対する表示など、６０２における接続セットアップ手順の間に中継器固有のパラメータを送信することが可能である。例えば、いくつかの態様によれば、中継ノードによって送信されるＲＲＣ接続セットアップ完了メッセージは、中継ノードとのＲＲＣ接続セットアップが完了しているという表示を備えることが可能である。６０２における接続セットアップは、セキュリテイ活性化および無線ベアラ確立など、Ｕｕインターフェースを認証および構成するための追加の手順をさらに含むことが可能である点を理解されたい。
【００５４】
６０４において、中継ノードは、ＭＭＥおよび要求許可を用いて、ワイヤレスネットワーク内の中継ノードとして動作するための接続手順を実行することができる。いくつかの態様によれば、中継ノードは、ＭＭＥを用いて、中継ノードが、ドナー基地局に接続されると同時に、中継器として動作することが許可される折衝を含むＮＡＳ接続手順を開始することができる。いくつかの態様によれば、ＭＭＥは、その中継ノードが中継器として動作することが許可されていることをドナー基地局に信号伝達することができる。
【００５５】
６０６において、中継ノードは、中継器として動作を開始するための中継ノードに対する表示を含めて、ドナー基地局から再構成コマンドを受信することができる。いくつかの態様によれば、この再構成コマンドは、中継ノードに中継動作および中継手順を開始することを要求するように構成されたＲＲＣ接続再構成メッセージを含むことが可能である。いくつかの態様によれば、６０６における再構成コマンドは、（Ｒ−ＰＤＣＣＨ構成など）中継器構成の追加の態様をさらに含むことが可能である。あるいは、中継器構成のこれらの追加の態様は、ブロードキャストパラメータを用いて、より早期に信号伝達可能である。いくつかの態様によれば、６０６において、６０４におけるＭＭＥからのシグナリングに応答して、ドナー基地局は、上で説明されたように、Ｕｎインターフェースに遷移する準備を開始することができる。例えば、ドナー基地局は、下で説明されるように、（例えば、６０８および６１２においてなど）中継動作用に確保されたＲＡＣＨリソースにおけるＲＡＣＨ送信を受信することを予測することができる。
【００５６】
６０８から開始して、中継ノードは、中継ノードとドナー基地局との間のインターフェースをＵｕインターフェースからＵｎインターフェースに遷移させるためのランダムアクセス手順を開始することができる。概して、ランダムアクセス手順(random access procedure)は、アップリンク同期を確立し、アップリンクリソースの割当てを取得し、識別を取得するための４ステッププロセスを備える。４ステッププロセスは、概して、（１）ランダムアクセスプリアンブル(a random access preamble)（「メッセージ１」）と、（２）ランダムアクセス応答(a random access response)（「メッセージ２」）と、（３）ランダムアクセスメッセージ(a random access message)（「メッセージ３」）と、（４）ランダムアクセス競合解決(a random access contention resolution)（「メッセージ４」）とを備えるメッセージの交換を含む。下の手順は競合に基づくランダムアクセス手順として議論されるが、本開示のいくつかの態様によれば、中継ノードおよびドナー基地局は、専用中継ＲＡＣＨを備えた無競合ランダムアクセス手順を実行できることが企図される。中継器に関するＲＡＣＨ手順はＵｕインターフェースとＵｎインターフェースとの間の遷移に関して議論されるが、本開示のいくつかの態様によるＲＡＣＨ手順は、タイミング同期動作、電力補正動作、ＤＲＸ動作など、その他の動作に関してさらに利用可能である点をさらに理解されたい。
【００５７】
６０８において、中継ノードは、中継ＲＡＣＨメッセージを生成して、ドナー基地局に送信することができる。いくつかの態様によれば、中継ノードに関するＵｕ動作とＵｎ動作との間の遷移は、その中継器用に指定され、中継動作用に確保されたリソースにおけるＲＡＣＨメッセージを送信することによって開始される。６０８と６１０との間の時間は、中継ノードとドナー基地局との間のＵｕインターフェースの使用とＵｎインターフェースの使用との間の初期遷移と見なすことができる。６０８における中継ＲＡＣＨメッセージは、ＲＡＣＨプリアンブルと、中継パラメータと、ランダムアクセス手順に関する追加のタイミングパラメータとを含むことが可能である。説明されるように、いくつかの態様によれば、中継ＲＡＣＨメッセージは、ＰＤＣＣＨにおいてではなく、Ｒ−ＰＤＣＣＨにおいてＲＡＣＨ応答を送り返すことが可能であることをドナー基地局に信号伝達するために、（基地局と接続されたＵＥに関して使用されるＲＡＣＨリソースと比較して）中継動作用に確保された、中継動作の専用ＲＡＣＨリソースにおいて送信可能である。いくつかの態様によれば、ＲＡＣＨリソースの確保は、配列空間内であってよく、時間空間内であってよく、または周波数空間内であってもよい。いくつかの態様によれば、中継ノードが確保されたＲＡＣＨリソースを使用して中継ＲＡＣＨメッセージを送信した後で、中継ノードは、応答に関してＲ−ＰＤＣＣＨを監視し始めることが可能である。
【００５８】
６１０において、中継ノードは、Ｒ−ＰＤＣＣＨ上でドナー基地局から中継ＲＡＣＨ応答を受信することができる。いくつかの態様によれば、中継ノードは、ＲＡＣＨ応答を受信するとすぐ、Ｕｎインターフェースに遷移するように構成可能である。いくつかの態様によれば、中継ＲＡＣＨ応答は、後の時点６１２での中継ＲＡＣＨメッセージ３の送信ためのアップリンク割当てと、中継ノードに関する一次識別子と、タイミングパラメータとを含むことが可能である。
【００５９】
６１２において、中継ノードは、中継ＲＡＣＨメッセージ３をドナー基地局に送信する。中継ＲＡＣＨメッセージ３は、接続確立メッセージ、ＮＡＳ要求、またはその他の適切なメッセージングを含むことが可能である。いくつかの態様によれば、ＲＡＣＨメッセージ３は、６０６において、ＲＲＣ再構成メッセージに応答するように構成されたＲＲＣ再構成完了メッセージ(RRC Reconfiguration Complete message)を備える。いくつかの態様によれば、ドナー基地局は、６１２において中継ＲＡＣＨメッセージ３を受信するとすぐに、ドナー基地局の観点から遷移は完了しているため、Ｕｎインターフェースに遷移するように構成可能である。
【００６０】
６１４において、ドナー基地局は、中継ＲＡＣＨ競合解決メッセージ(relay RACH contention resolution message)を中継ノードに送信することによって、中継ＲＡＣＨメッセージ３の受信を確認する。競合解決メッセージは、リソースのアップリンク認可(uplink grant of resources)と、リソースのダウンリンク割当て(downlink assignment of resources)と、中継器識別子の確認(confirmation of relay identity)とを含むことが可能である。いくつかの態様によれば、中継器に関するＵｕ動作とＵｎ動作との間の遷移は、中継ノードに送られるＲ−ＰＤＣＣＨ割当てによって完了する。いくつかの態様によれば、ドナー基地局は、Ｒ−ＰＤＣＣＨを利用してアップリンク認可を送信することによって、中継ノードからのＲＲＣ再構成完了メッセージ(RRC Reconfiguration Complete message)の受信を確認する。
【００６１】
６１６において、中継ノードとドナー基地局との間のＵｎインターフェースは、Ｒ−ＰＤＣＣＨを使用して動作可能であると見なすことができる。６１８において、中継ノードは（疑似空間に示された）ＯＡ＆Ｍサーバから運用、管理、および保守（ＯＡ＆Ｍ）情報を取り出すことによって起動手順を継続することができる。６２０において、中継ノードは、（例えば、それぞれ、ネットワークノード４４０および追加の基地局４３５となど）Ｓ１接続およびＸ２接続を確立することも可能である。（ブロードキャストチャネルの開始を含む）ＵＥに関するＵｕ動作の開始は、ドナー基地局リンクに対する中継ノードに関するＵｕ動作からＵｎ動作への遷移と同時に開始できることが企図される。
【００６２】
例示的な無線リンク障害処理
下で議論されるように、本開示のいくつかの態様は、中継器を有するワイヤレスネットワーク内の無線リンク障害（ＲＬＦ）回復のための方法および手順を提供する。いくつかの事例では、中継ノードとドナー基地局とを接続しているバックホールリンクは、接続性問題を経験する可能性がある。したがって、本開示のいくつかの態様は、中継ノードにおいてＲＬＦを処理するための技法を提供する。
【００６３】
図７〜図８は、本開示のいくつかの態様による、中継ノードを動作させるための例示的な動作７００および８００を示す。いくつかの態様によれば、これらの例示的な動作７００、８００は、Ｕｎインターフェースによってドナー基地局と接続され、Ｕｕインターフェースによって少なくとも１つのＵＥに接続された中継ノードによって実行可能である。例えば、図５に示される中継ノード５００は、動作７００、８００を実行するように構成可能である。例示的な動作７００、８００を実行するために、本開示のいくつかの態様に従って構成された、その他の適切な構成要素および装置が利用可能であることが企図される。
【００６４】
例示的な動作７００は、本開示のいくつかの態様による、ドナー基地局との中継器リンクの損失時に、接続されたＵＥを解放するために中継ノードを動作させるための方法を提供する。動作７００は、中継ノードにおいて、ドナー基地局など、基地局との無線リンクの障害を検出することによって、７０２で開始する。中継ノードは、ＲＬＦ検出タイマ（例えば、タイマＴ３１０）を利用することなど、様々な機構により、ドナー基地局とのＵｎインターフェースのＲＬＦを検出することができる。いくつかの態様によれば、中継ノードは、Ｔ３１０タイマとは無関係に動作することが可能な、タイマ「Ｔ３１０＿Ｒｅｌａｙ」と呼ばれる場合があり、Ｔ３１０とは異なる中継器固有のＲＬＦ検出タイマの満了時に、ドナー基地局とのＲＬＦを検出することができる。中継ノードがバックホールリンクの障害を検出するとき、中継ノードと接続されたＵＥはネットワークサービスを受信することができず、中継器に留まっているいずれかのアイドルＵＥはページを受信することができないか、または、さらなる接続を確立することができない点を理解されたい。したがって、本開示のいくつかの態様は、下で説明されるように、接続されたＵＥの解放をトリガするための機構を提供する。
【００６５】
７０４において、動作７００は、無線リンク障害を検出した後で待機期間の間、遅らせることによって(by delaying for a wait period)継続することができる。いくつかの態様によれば、待機期間は、ＲＬＦからの回復を試みるために規定された期間（例えば、タイマＴ３１１）を備えることが可能である。その他の態様によれば、待機期間の間、遅らせることは、（いくつかの態様において、「Ｔ＿ＲＬＦ＿ＲＥＬＡＹ」または「Ｔ＿ＵＥ＿ＲＥＬ＿ＲＥＬＡＹ」と呼ばれる）中継器固有のＵＥ解放タイマを起動させることを備えることが可能である。ＵＥ解放タイマは、上で説明されたように、ＲＬＦ検出に関するタイマが満了したときに開始することができる。中継器とドナー基地局との間のバックホールリンクは、一般に、ＵＥと基地局との間のリンクと比較してより頑強と見なされる点に留意されたい。いくつかの態様によれば、待機期間は、それぞれ、無線リンク障害が実際に存在することを確認するための、またはバックホールリンクを再確立するための追加時間を提供するための、Ｔ３１０など、一般的なＲＬＦ検出タイマ、もしくはＴ３１１など、回復を試みるためのタイマよりもより長く構成可能である。
【００６６】
中継器がかなりの期間にわたってドナー基地局とのその接続を失ったことが明らかになったとき、中継器と接続された（１つまたは複数の）ＵＥを解放することができる。したがって、７０６において、中継器は、待機期間の満了後に１つまたは複数のＵＥを解放することができる。いくつかの態様によれば、ＵＥは、ＵＥ解放タイマの満了後に解放可能である。いくつかの態様によれば、中継器は、ＵＥの解放を開始するために、宛先変更メッセージまたはＲＲＣ接続解放メッセージを接続されたＵＥに送信することができる。加えて、中継器は、待機期間の満了後にブロードキャストチャネルの送信を中止することも可能である。いくつかの態様によれば、中継器は、その中継器に留まっている現在アイドルのＵＥが別のセルを選択することができ、着信ＵＥがその中継器に対するハンドオーバを実行することを試みないように、ブロードキャストチャネルを送信するのを中止することができる。
【００６７】
図８は、本開示のいくつかの態様による、ＲＬＦ時にドナー基地局との無線リンクを回復するために、中継ノードを動作させるための例示的な動作８００を示す。動作８００は、中継器における基地局との無線リンクの障害を検出することによって、８０２において開始することができる。無線リンク障害は、上で説明された、いくつかの態様に従って検出可能である。８０２における無線リンク障害の検出時に、中継器は、上で説明された、いくつかの態様に従って、１つまたは複数の接続されたＵＥを解放することができる点をさらに理解されたい。
【００６８】
８０４において、中継器は、基地局と別の無線リンクを確立するために、その中継器による使用のために指定された中継器固有のＲＡＣＨのリソースを使用する。中継器による使用のために指定されたリソースは、時間リソース（例えば、サブフレーム、シンボル、またはスロット）であってよく、周波数リソース（例えば、サブチャネル、もしくはサブキャリアの指定された帯域幅）であってよく、または時間リソースと周波数リソースの組合せであってもよい。いくつかの態様によれば、中継器固有のリソースは、中継通信用に確保されたリソースのプールの中からであってよい。いくつかの態様によれば、中継器固有のリソースは、ドナー基地局によって割り振られて、より早期の通信を使用して中継器に信号伝達することが可能である。いくつかの態様によれば、中継器は、下で詳細に説明されるように、中継器固有のＲＡＣＨメッセージ(relay-specific RACH message)を基地局に送信することと、基地局から中継器固有のＲＡＣＨ応答を受信することとを備えるランダムアクセス手順を実行することができる。いくつかの態様によれば、中継器固有のＲＡＣＨ応答は、Ｒ−ＰＤＣＣＨを経由して受信される。
【００６９】
図９は、本開示のいくつかの態様による、ＲＬＦ回復機構に関する動作を例示するシーケンス図である。中継ノードとドナー基地局とを接続しているＵｎインターフェース上のＲＬＦを検出するとすぐ、中継器は、下で説明されるように、ＲＬＦ回復を開始することができる。いくつかの態様によれば、中継器は、中継用にリソース上で確保されたＲＡＣＨとＲ−ＰＤＣＣＨベースのＲＡＣＨ応答とを伴うＵｎ  ＲＡＣＨ手順を利用することができる。中継器は、Ｕｕ  ＲＡＣＨ手順と、専用メッセージングを使用したＵｎインターフェースに対する後続の遷移とを利用することも可能である点も理解されたい。図９に例示されるＲＬＦ回復動作は、図６で説明された中継器の起動動作に類似し得る点をさらに理解されたい。分かり易くするために、これらの動作は、図４に示される例示的なシステム４００によって実行されているとして示されるが、これらの例示的な動作は、本開示の態様による任意の適切な装置および構成要素によって実行可能である点を理解されたい。
【００７０】
ＲＬＦ回復動作は、中継ノードがＵｕインターフェース方法を使用してドナー基地局と接続できる９０２で開始する。いくつかの態様によれば、中継ノードは、中継ノードがＵＥである場合と同様に、ドナー基地局との接続を確立することができる。いくつかの態様によれば、中継ノードおよびドナー基地局は、ＲＲＣ接続要求メッセージ、ＲＲＣ接続セットアップメッセージ、およびＲＲＣ接続セットアップ完了メッセージを交換することを含むＲＲＣ接続確立手順を実行することができる。
【００７１】
９０４において、中継ノードは、ＭＭＥを用いてサービス要求手順を実行して、ワイヤレスネットワーク内の中継器として動作するための許可を要求することができる。いくつかの態様によれば、中継ノードは、ＭＭＥを用いてＮＡＳサービス要求手順を開始することができる。いつかの態様によれば、中継ノードは、ＮＡＳサービス要求とＲＲＣ接続のバイパス再確立とを試みることができる。ＮＡＳサービス要求手順は、中継ノードがドナー基地局と以前に接続したときに予め確立されたパラメータおよび情報の再使用を有利に可能にする。例えば、ＮＡＳサービス要求手順は、予め確立されたセキュリティキーの再使用を許可して、ホーム加入者サーバ（ＨＳＳ）など、他のネットワークノードと通信する必要を除去する。ＮＡＳサービス要求手順は、ＭＭＥが中継ノードの予め確立された情報をドナー基地局に送信することを含むことが可能である。いくつかの態様によれば、ＭＭＥは、中継ノードがワイヤレスノード内の中継器として動作する許可を認可されていることをドナー基地局に信号伝達することができる。
【００７２】
９０６において、ドナー基地局は、ドナー基地局と中継ノードとの間のＵｕインターフェースに関する再構成を開始するための接続再構成メッセージをＵｎインターフェースに送信することができる。いくつかの態様によれば、接続再構成は、中継動作を開始するという、中継ノードに対する表示を備えるＲＲＣ再構成メッセージを備えることが可能である。
【００７３】
９０８で開始し、中継ノードは、ＲＬＦ回復を開始するために、中継器固有のＲＡＣＨを利用するランダムアクセス手順を開始する。９０８において、中継ノードは、中継ＲＡＣＨメッセージをドナー基地局に送信することができる。いくつかの態様によれば、中継ＲＡＣＨメッセージは、中継動作用に確保されたＲＡＣＨリソースにおいて／中継動作用に専用のＲＡＣＨリソースにおいて送信可能である。いくつかの態様によれば、専用中継ＲＡＣＨリソースは、ドナー基地局によって割り振られて、例えば、９０６における接続再構成メッセージなど、より早期の通信を用いて中継ノードに信号伝達可能である。いくつかの態様によれば、専用中継ＲＡＣＨリソースは、中継通信用に確保されるために、中継ノードと基地局とによって事前に決定された複数のリソースから中継ノードによって選択可能である。専用中継ＲＡＣＨリソースの使用は、ＰＤＣＣＨにおいてでなく、Ｒ−ＰＤＣＣＨにおいてＲＡＣＨ応答を中継ノードに送り返すことが可能であることをドナー基地局に示すことが可能である。
【００７４】
９１０において、ドナー基地局は、Ｒ−ＰＤＣＣＨを利用して、中継ＲＡＣＨ応答を中継ノードに送信することができる。いくつかの態様によれば、中継ＲＡＣＨ応答は、Ｕｎインターフェースにおけるアップリンクリソース割当てと、タイミングパラメータと、その他のＵｎインターフェース接続パラメータとを含むことが可能である。
【００７５】
９１２において、中継ノードは、Ｕｎインターフェースを利用するために、中継ノードとドナー基地局との間の接続が再構成されていることを示すメッセージを用いてＲＡＣＨ応答に応答することができる。いくつかの態様によれば、中継ノードは、ＲＲＣ再構成完了メッセージをドナー基地局に送信することができる。
【００７６】
９１４において、ドナー基地局は、再構成完了メッセージの受信を確認するために、Ｒ−ＰＤＣＣＨを利用して競合解決メッセージを送信することによって、ランダムアクセス手順を完了する。いくつかの態様によれば、競合解決メッセージは、Ｕｎインターフェースにおけるリソースのアップリンク認可(uplink grant of resources)と、タイミングパラメータ(timing parameters)と、電力補正パラメータ(power correction parameters)と、Ｕｎインターフェースを確立および管理するために利用されるその他の情報とを備えることが可能である。
【００７７】
したがって、９１６において、中継ノードとドナー基地局との間のＵｎインターフェースは、動作可能であり、かつＲ−ＰＤＣＣＨを利用していると見なすことができる。以前のＯＡ＆Ｍ構成を再使用することが可能であるため、図６で議論された動作と比較したとき、９１６の後で、ＯＡ＆Ｍ構成ステップを省略することが可能である点を理解されたい。いくつかの態様によれば、中継ノードは、ＭＭＥまたはＯＡ＆Ｍサーバ（図示せず）から予め確立されたＯＡ＆Ｍ構成のコピーを受信することができる。９１８において、中継ノードは、上で説明されたように、ネットワークノードおよび追加の基地局となど、Ｓ１接続およびＸ２接続をさらに確立することができる。
【００７８】
図１０は、本開示のいくつかの態様による、ＲＬＦ時に中継器との無線リンクを回復するために基地局を動作させるための例示的な動作１０００を示す。いくつかの態様によれば、例示的な動作１０００は、Ｕｎインターフェースによって中継ノードと関連付けられたドナー基地局によって実行可能である。例えば、図５に示されるドナー基地局５１０は、動作１０００を実行するように構成可能である。例示的な動作１０００を実行するために、本開示のいくつかの態様に従って構成されたその他の適切な構成要素および装置が利用可能であることが企図される。
【００７９】
いくつかの態様によれば、動作１０００は、概して、基地局が、中継ノードとの無線リンクの障害に応答して、中継ノードと別の無線リンクを確立するために、中継器による使用のために指定された中継器固有のＲＡＣＨのリソースを使用できることを実現する。中継器による使用のために指定されたリソースは、時間リソース（例えば、サブフレーム、シンボル、またはスロット）であってよく、周波数リソース（例えば、サブチャネル、もしくはサブキャリアの指定された帯域幅）であってよく、または時間リソースと周波数リソースの組合せであってもよい。いくつかの態様によれば、基地局は、中継器固有のＲＡＣＨ用に確保されたリソースのプールの中から中継器による使用のために指定されたリソースを割り振ることができる。基地局は、例えば、ＲＲＣ接続再構成メッセージを使用して、より早期の通信において中継ノードに割り当てられたリソースを信号伝達することができる。いくつかの態様によれば、指定されたリソースは、中継通信用に確保された複数のリソースのうちの１つであってよい。
【００８０】
動作１０００は、基地局において、中継器との無線リンクの障害を示す第１の中継器固有のＲＡＣＨメッセージを受信することによって、１００２で開始することができる。いくつかの態様によれば、第１の中継器固有のＲＡＣＨメッセージは、中継器による使用のために指定されたリソースを利用して受信される。いくつかの態様によれば、第１の中継器固有のＲＡＣＨメッセージは、ＲＬＦ回復に関するランダムアクセス手順を初期化するように構成される。
【００８１】
１００４において、基地局は、第１のＲＡＣＨメッセージに応答して、第２の中継器固有のＲＡＣＨメッセージを送信することができる。いくつかの態様の場合、基地局は、Ｒ−ＰＤＣＣＨを利用して、第２の中継器固有のＲＡＣＨメッセージを送信することができる。いくつかの態様によれば、第２の中継器固有のＲＡＣＨメッセージは、第１の中継器固有のＲＡＣＨメッセージに応答するように構成されたＲＡＣＨ応答を備えることが可能である。例えば、中継器固有のＲＡＣＨ応答は、一次中継器識別子、タイミングパラメータおよび電力補正パラメータ、ならびにランダムアクセス手順を完了するために利用するための中継器の一次アップリンク認可を含むことが可能である。
【００８２】
いくつかの態様によれば、ＲＬＦ回復は、ＵｕインターフェースＲＡＣＨ手順を用いて実行可能である。しかし、これらの手順は、結果として、拡張物理チャネルの損失をもたらす可能性があり、それらの再確立を必要とする場合がある点を認識されたい。したがって、本開示のいくつかの態様は、ＵｎインターフェースＲＡＣＨ手順を用いて実行されるＲＬＦ回復のための機構も提供する。上で説明されたＵｎインターフェースＲＡＣＨ手順は、Ｒ−ＰＤＣＣＨと関連するチャネルとが使用され続けることを有利に許可する。これらのチャネルは、有利にも、再開始される必要、または再確立される必要がなく、いくつかの態様による装置は、動作の間、拡張物理層を利用し続けることが可能である。
【００８３】
開示されたプロセス内のステップの特定の順序または優先度は例示的な手法の一例である点を理解されたい。設計基本設定に基づいて、これらのプロセス内のステップの特定の順序または優先度は、本開示の範囲内に留まりながら、再構成可能である点を理解されたい。添付の方法クレームは、様々なステップの要素をサンプル順序で提示し、提示される特定の順序または優先度に限定されることを意味しない。
【００８４】
上で説明された方法の様々な動作は、対応する機能を実行することが可能な任意の適切な手段によって実行可能である。これら手段は、様々な（１つもしくは複数の）ハードウェア構成要素および／または（１つもしくは複数の）ソフトウェア構成要素、ならびに／あるいは回路、特定用途向け集積回路（ＡＳＩＣ）、またはプロセッサを含むが、これらに限定されない（１つもしくは複数の）モジュールを含むことが可能である。例えば、送信するための手段は、図２に示された受信機システム２５０（例えば、アクセス端末）の送信機ユニット２５４、または図２に示された送信機システム２１０（例えば、アクセスポイント）の送信機ユニット２２２などの送信機を備えることが可能である。受信するための手段は、図２に示された受信機システム２５０の受信機ユニット２５４、または図２に示された送信機システム２１０の受信機ユニット２２２などの受信機を備えることが可能である。処理するための手段、決定するための手段、検出するための手段、遅延させるための手段、解放するための手段、中止するための手段、使用するための手段、および／または割り振るための手段は、図２に例示された、受信機システム２５０のプロセッサ２７０、または送信機システム２１０のプロセッサ２３０など、１つもしくは複数のプロセッサを含むことが可能な処理システムを備えることが可能である。これらの手段は、図５のリンク検出構成要素５０２、ランダムアクセスチャネル（ＲＡＣＨ）構成要素５０６、５１６、および接続構成要素の任意の適切な組合せを備えることも可能である。
【００８５】
当業者は、情報および信号は、様々な異なる技術および技法のうちのいずれかを使用して表現可能である点を理解されよう。例えば、上の説明を通じて参照される場合があるデータ、命令、コマンド、情報、信号、ビット、シンボル、およびチップは、電圧、電流、電磁波、磁場もしくは磁気粒子、光場もしくは光学粒子、またはそれらの任意の組合せによって表現可能である。
【００８６】
当業者は、本明細書で開示された態様に関する様々な例示的な論理ブロック、モジュール、回路、およびアルゴリズムステップは、電子ハードウェア、コンピュータソフトウェア、またはそれら両方の組合せとして実施可能である点をさらに理解されよう。ハードウェアとソフトウェアのこの交換可能性を明瞭に例示するために、様々な例示的な構成要素、ブロック、モジュール、回路、およびステップは、概して、その機能性の点から上で説明されてきた。そのような機能性がハードウェアとして実施されるか、またはソフトウェアとして実施されるかは、特定のアプリケーションおよびシステム全体に課せられた設計制約に依存する。当業者は、それぞれの特定なアプリケーションに関して、説明された機能性を様々な形で実施することが可能であるが、そのような実施決定は本開示の範囲からの逸脱を引き起こすものと解釈されるべきではない。
【００８７】
本明細書で開示された態様に関して説明された様々な例示的な論理ブロック、モジュール、および回路は、本明細書で説明された機能を実行するように設計された汎用プロセッサ、デジタル信号プロセッサ（ＤＳＰ）、ＡＳＩＣ、フィールドプログラマブルゲートアレイ（ＦＰＧＡ）もしくはその他のプログラマブル論理デバイス、ディスクリートゲートもしくはトランジスタ論理、ディスクリートハードウェア構成要素、またはそれらの任意の組合せを用いて実施可能あるいは実行可能である。汎用プロセッサは、マイクロプロセッサであってよいが、代替では、プロセッサは、任意の従来のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと共に１つもしくは複数のマイクロプロセッサ、または任意のその他のそのような構成として実装されることも可能である。
【００８８】
本明細書で開示された態様に関して説明された方法またはアルゴリズムのステップは、ハードウェアの形で直接的に、プロセッサによって実行されるソフトウェアモジュールの形で、またはそれら２つの組合せの形で実施可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意のその他の形の記憶媒体の中に常駐可能である。例示的な記憶媒体は、プロセッサがその記憶媒体から情報を読み取ることができ、その記憶媒体に情報を書き込むことができるように、プロセッサに結合可能である。代替では、記憶媒体は、プロセッサと一体であってよい。プロセッサおよび記憶媒体は、ＡＳＩＣ内に常駐可能である。ＡＳＩＣは、ユーザ端末内に常駐可能である。代替では、プロセッサおよび記憶媒体は、ユーザ端末内のディスクリート構成要素として常駐可能である。
【００８９】
開示された態様のこれまでの説明は、当業者が本開示を行うこと、または本開示を使用することを可能にするために提供される。これらの態様に対する様々な修正は、当業者に容易に明らかになるであろうし、本明細書に定義された一般原理は、本開示の趣旨または範囲から逸脱せずに、その他の態様に適用可能である。したがって、本開示は、本明細書で示された態様に限定されることを意図せず、本明細書で開示された原理および新規性のある特性と一致する最大範囲が与えられるべきである。
【図１】
2014222882.tif 000003
【図２】
2014222882.tif 000004
【図３】
2014222882.tif 000005
【図４】
2014222882.tif 000006
【図５】
2014222882.tif 000007
【図６】
2014222882.tif 000008
【図７】
2014222882.tif 000009
【図８】
2014222882.tif 000010
【図９】
2014222882.tif 000011
【図１０】
2014222882.tif 000012
【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
ワイヤレス通信に関する方法であって、当該方法は下記を具備する。
基地局との無線リンクの障害を、中継器において検出することと、
前記基地局と別の無線リンクを確立するためにランダムアクセスチャネル（ＲＡＣＨ）のリソースを使用すること、前記リソースは前記中継器による使用のために指定される。
【請求項２】
請求項１に記載の方法であって、
前記リソースが中継通信用に確保された複数のリソースのうちの１つであること。
【請求項３】
請求項１に記載の方法であって、
前記使用することは、
中継器固有のＲＡＣＨメッセージを前記基地局に送信することと、
前記基地局から中継器固有のＲＡＣＨ応答を受信することと
を備える。
【請求項４】
請求項３に記載の方法であって、
前記中継器固有のＲＡＣＨ応答が、中継物理ダウンリンク制御チャネル（Ｒ−ＰＤＣＣＨ）を経由して受信されること。
【請求項５】
請求項１に記載の方法であって、当該方法は下記を更に具備する。
前記無線リンク障害を検出した後で待機期間の間、遅らせることと、
前記待機期間の満了後に１つまたは複数のユーザ装置（ＵＥ）を解放すること。
【請求項６】
ワイヤレス通信に関する方法であって、当該方法は下記を具備する。
中継器との無線リンクの障害に応答して、前記中継器と別の無線リンクを確立するために、基地局において、前記中継器による使用のために指定された中継器固有のランダムアクセスチャネル（ＲＡＣＨ）のリソースを使用すること。
【請求項７】
請求項６に記載の方法であって、
前記使用することは、
前記中継器から中継器固有のＲＡＣＨメッセージを受信することと、
中継器固有のＲＡＣＨ応答を前記中継器に送信すること。
【請求項８】
請求項７に記載の方法であって、
前記中継器固有のＲＡＣＨ応答は、中継物理ダウンリンク制御チャネル（Ｒ−ＰＤＣＣＨ）を経由して送信されること。
【請求項９】
請求項６に記載の方法であって、当該方法は下記を更に具備する。
前記中継器固有のＲＡＣＨ用に確保された複数のリソースの中から前記リソースを割り振ること。
【請求項１０】
請求項６に記載の方法であって、
前記リソースは、中継通信用に確保された複数のリソースのうちの１つであること。
【請求項１１】
ワイヤレス通信に関する装置であって、
基地局との無線リンクの障害を検出するように構成されたリンク検出コンポーネントと、
前記基地局と別の無線リンクを確立するために、前記装置による使用のために指定された中継器固有のランダムアクセスチャネル（ＲＡＣＨ）のリソースを使用するように構成されたランダムアクセスコンポーネントと、
を備える装置。
【請求項１２】
前記ランダムアクセスコンポーネントによって使用される前記リソースは、中継通信用に確保された複数のリソースのうちの１つである、請求項１１に記載の装置。
【請求項１３】
前記ランダムアクセスコンポーネントは、
中継器固有のＲＡＣＨメッセージを前記基地局に送信し、
前記基地局から中継器固有のＲＡＣＨ応答を受信する、
ようにさらに構成されている、
請求項１１に記載の装置。
【請求項１４】
前記ランダムアクセスコンポーネントは、中継物理ダウンリンク制御チャネル（Ｒ−ＰＤＣＣＨ）を経由して前記中継器固有のＲＡＣＨ応答を受信するようにさらに構成されている、請求項１３に記載の装置。
【請求項１５】
前記無線リンク障害を検出した後で待機期間の間、遅らせ、前記待機期間の満了後に１つまたは複数のユーザ装置（ＵＥ）を解放するように構成された接続コンポーネント、
をさらに備える、請求項１１に記載の装置。
【請求項１６】
ワイヤレス通信のための装置であって、
中継器との無線リンクの障害に応答して、前記中継器と別の無線リンクを確立するために、前記中継器による使用のために指定された中継器固有のランダムアクセスチャネル（ＲＡＣＨ）のリソースを使用するように構成されたランダムアクセスコンポーネント、
を備える装置。
【請求項１７】
前記ランダムアクセスコンポーネントは、
前記中継器から中継器固有のＲＡＣＨメッセージを受信し、
中継器固有のＲＡＣＨ応答を前記中継器に送信する、
ようにさらに構成されている、
請求項１６に記載の装置。
【請求項１８】
前記ランダムアクセスコンポーネントは、中継物理ダウンリンク制御チャネル（Ｒ−ＰＤＣＣＨ）を経由して前記中継器固有のＲＡＣＨ応答を送信するようにさらに構成されている、請求項１７に記載の装置。
【請求項１９】
前記ランダムアクセスコンポーネントは、前記中継器固有のＲＡＣＨ用に確保された複数のリソースの中から前記リソースを割り振るようにさらに構成されている、請求項１６に記載の装置。
【請求項２０】
前記ランダムアクセスコンポーネントによって使用される前記リソースは、中継通信用に確保された複数のリソースのうちの１つである、請求項１６に記載の装置。
【請求項２１】
ワイヤレス通信のための装置であって、
基地局との無線リンクの障害を検出するための手段と、
前記基地局と別の無線リンクを確立するために、前記装置による使用のために指定された中継器固有のランダムアクセスチャネル（ＲＡＣＨ）のリソースを使用するための手段と、
を備える装置。
【請求項２２】
前記リソースは、中継通信用に確保された複数のリソースのうちの１つである、請求項２１に記載の装置。
【請求項２３】
使用するための前記手段は、
前記基地局に中継器固有のＲＡＣＨメッセージを送信するための手段と、
前記基地局から中継器固有のＲＡＣＨ応答を受信するための手段と、
を備える、請求項２１に記載の装置。
【請求項２４】
前記中継器固有のＲＡＣＨ応答は、中継物理ダウンリンク制御チャネル（Ｒ−ＰＤＣＣＨ）を経由して受信される、請求項２３に記載の装置。
【請求項２５】
前記無線リンク障害を検出した後で待機期間の間、遅らせるための手段と、
前記待機期間の満了後に１つまたは複数のユーザ装置（ＵＥ）を解放するための手段と、
をさらに備える、請求項２１に記載の装置。
【請求項２６】
ワイヤレス通信に関する装置であって、
中継器との無線リンクの障害に応答して、前記中継器と別の無線リンクを確立するために、中継器固有のランダムアクセスチャネル（ＲＡＣＨ）のリソースを使用する手段
を備える、ここで、前記リソースは前記中継器に用いられるために指定される。
【請求項２７】
使用するための前記手段は、
前記中継器から中継器固有のＲＡＣＨメッセージを受信するための手段と、
中継器固有のＲＡＣＨ応答を前記中継器に送信するための手段と、
を備える、請求項２６に記載の装置。
【請求項２８】
前記中継器固有のＲＡＣＨ応答は、中継物理ダウンリンク制御チャネル（Ｒ−ＰＤＣＣＨ）を経由して送信される、請求項２７に記載の装置。
【請求項２９】
前記中継器固有のＲＡＣＨ用に確保された複数のリソースの中から前記リソースを割り振るための手段、
をさらに備える、請求項２６に記載の装置。
【請求項３０】
前記リソースは、中継通信用に確保された複数のリソースのうちの１つである、請求項２６に記載の装置。
【請求項３１】
命令を記憶したコンピュータ可読媒体を備えたコンピュータプログラム製品であって、
前記命令は、
中継器において、基地局との無線リンクの障害を検出し、
前記基地局と別の無線リンクを確立するために、前記中継器による使用のために指定された中継器固有のランダムアクセスチャネル（ＲＡＣＨ）のリソースを使用する、
ために、１つまたは複数のプロセッサによって実行可能である、
コンピュータプログラム製品。
【請求項３２】
前記リソースは、中継通信用に確保された複数のリソースのうちの１つである、請求項３１に記載のコンピュータプログラム製品。
【請求項３３】
使用するための前記命令は、
中継器固有のＲＡＣＨメッセージを前記基地局に送信するための命令と、
前記基地局から中継器固有のＲＡＣＨ応答を受信するための命令と、
を備える、
請求項３１に記載のコンピュータプログラム製品。
【請求項３４】
前記中継器固有のＲＡＣＨ応答は、中継物理ダウンリンク制御チャネル（Ｒ−ＰＤＣＣＨ）を経由して受信される、請求項３３に記載のコンピュータプログラム製品。
【請求項３５】
前記無線リンク障害を検出した後で待機期間の間、遅らせるための命令と、
前記待機期間の満了後に１つまたは複数のユーザ装置（ＵＥ）を解放するための命令と、
をさらに備える、請求項３１に記載のコンピュータプログラム製品。
【請求項３６】
コンピュータプログラム製品は、命令を記憶したコンピュータ可読媒体を備え、
ここで、前記命令は、１つまたは複数のプロセッサによって実行可能であり、
中継器との無線リンクの障害に応答して、基地局において、前記命令が、前記中継器と他の無線リンクを確立するために、中継器固有のランダムアクセスチャネル（ＲＡＣＨ）のリソースを用いて、
１つまたは複数のプロセッサによって実行可能である、
ここで、前記リソースは、前記中継器によって用いられるために指定される
。
【請求項３７】
使用するための前記命令は、
前記中継器から中継器固有のＲＡＣＨメッセージを受信するための命令と、
中継器固有のＲＡＣＨ応答を前記中継器に送信するための命令と、
を備える、
請求項３６に記載のコンピュータプログラム製品。
【請求項３８】
前記中継器固有のＲＡＣＨ応答は、中継物理ダウンリンク制御チャネル（Ｒ−ＰＤＣＣＨ）を経由して送信される、請求項３７に記載のコンピュータプログラム製品。
【請求項３９】
前記中継器固有のＲＡＣＨ用に確保された複数のリソースの中から前記リソースを割り振るための命令、
をさらに備える、請求項３６に記載のコンピュータプログラム製品。
【請求項４０】
前記リソースは、中継通信用に確保された複数のリソースのうちの１つである、請求項３６に記載のコンピュータプログラム製品。
【手続補正２】
【補正対象書類名】明細書
【補正対象項目名】００８９
【補正方法】変更
【補正の内容】
【００８９】
開示された態様のこれまでの説明は、当業者が本開示を行うこと、または本開示を使用することを可能にするために提供される。これらの態様に対する様々な修正は、当業者に容易に明らかになるであろうし、本明細書に定義された一般原理は、本開示の趣旨または範囲から逸脱せずに、その他の態様に適用可能である。したがって、本開示は、本明細書で示された態様に限定されることを意図せず、本明細書で開示された原理および新規性のある特性と一致する最大範囲が与えられるべきである。
以下に、出願当初の特許請求の範囲に記載された発明を付記する。
[Ｃ１]
ワイヤレス通信に関する方法であって、当該方法は下記を具備する。
基地局との無線リンクの障害を、中継器において検出することと、
前記無線リンク障害を検出した後で待機期間の間、遅らせることと、
前記待機期間の満了後に１つまたは複数のユーザ装置（ＵＥ）を解放すること。
[Ｃ２]
Ｃ１に記載の方法であって、
前記検出することは、無線リンク障害タイマの満了時に前記無線リンクの前記障害を検出すること。
[Ｃ３]
Ｃ２に記載の方法であって、
前記無線リンク障害タイマは、中継器固有の無線リンク障害タイマを備えること。
[Ｃ４]
Ｃ１に記載の方法であって、当該方法は更に下記を具備する。
前記待機期間の満了後にブロードキャストチャネルの送信を中止すること。
[Ｃ５]
Ｃ１に記載の方法であって、
前記待機期間の間、遅らせることは、前記無線リンクの前記障害を検出した後でＵＥ解放タイマを起動させること及び前記ＵＥが前記ＵＥ解放タイマの満了後に解放されること。
[Ｃ６]
ワイヤレス通信に関する方法であって、当該方法は下記を具備する。
基地局との無線リンクの障害を、中継器において検出することと、
前記基地局と別の無線リンクを確立するためにランダムアクセスチャネル（ＲＡＣＨ）のリソースを使用すること、前記リソースは前記中継器による使用のために指定される。
[Ｃ７]
Ｃ６に記載の方法であって、
前記リソースが中継通信用に確保された複数のリソースのうちの１つであること。
[Ｃ８]
Ｃ６に記載の方法であって、
前記使用することは、
中継器固有のＲＡＣＨメッセージを前記基地局に送信することと、
前記基地局から中継器固有のＲＡＣＨ応答を受信することと
を備える。
[Ｃ９]
Ｃ８に記載の方法であって、
前記中継器固有のＲＡＣＨ応答が、中継物理ダウンリンク制御チャネル（Ｒ−ＰＤＣＣＨ）を経由して受信されること。
[Ｃ１０]
Ｃ６に記載の方法であって、当該方法は下記を更に具備する。
前記無線リンク障害を検出した後で待機期間の間、遅らせることと、
前記待機期間の満了後に１つまたは複数のユーザ装置（ＵＥ）を解放することと。
[Ｃ１１]
ワイヤレス通信に関する方法であって、当該方法は下記を具備する。
中継器との無線リンクの障害に応答して、前記中継器と別の無線リンクを確立するために、基地局において、前記中継器による使用のために指定された中継器固有のランダムアクセスチャネル（ＲＡＣＨ）のリソースを使用すること。
[Ｃ１２]
Ｃ１１に記載の方法であって、
前記使用することは、
前記中継器から中継器固有のＲＡＣＨメッセージを受信することと、
中継器固有のＲＡＣＨ応答を前記中継器に送信すること。
[Ｃ１３]
Ｃ１２に記載の方法であって、
前記中継器固有のＲＡＣＨ応答は、中継物理ダウンリンク制御チャネル（Ｒ−ＰＤＣＣＨ）を経由して送信されること。
[Ｃ１４]
Ｃ１１に記載の方法であって、当該方法は下記を更に具備する。
前記中継器固有のＲＡＣＨ用に確保された複数のリソースの中から前記リソースを割り振ること。
[Ｃ１５]
Ｃ１１に記載の方法であって、
前記リソースは、中継通信用に確保された複数のリソースのうちの１つであること。
[Ｃ１６]
ワイヤレス通信に関する装置であって、
基地局との無線リンクの障害を検出するように構成されたリンク検出コンポーネントと、
前記無線リンク障害を検出した後で待機期間の間、遅らせ、前記待機期間の満了後に１つまたは複数のユーザ装置（ＵＥ）を解放するように構成された接続コンポーネントと
を備える装置。
[Ｃ１７]
前記リンク検出コンポーネントは、無線リンク障害タイマの満了時に前記無線リンクの前記障害を検出するようにさらに構成される、Ｃ１６に記載の装置。
[Ｃ１８]
前記無線リンク障害タイマは、中継器固有の無線リンク障害タイマを備える、Ｃ１７に記載の装置。
[Ｃ１９]
前記接続コンポーネントは、
前記待機期間の満了の後にブロードキャストチャネルの送信を中止する
ようにさらに構成される、Ｃ１６に記載の装置。
[Ｃ２０]
前記接続コンポーネントは、前記無線リンクの前記障害を検出した後でＵＥ解放タイマを起動させ、前記ＵＥ解放タイマの満了後に前記ＵＥを解放するようにさらに構成されている、Ｃ１６に記載の装置。
[Ｃ２１]
ワイヤレス通信に関する装置であって、
基地局との無線リンクの障害を検出するように構成されたリンク検出コンポーネントと、
前記基地局と別の無線リンクを確立するために、前記装置による使用のために指定された中継器固有のランダムアクセスチャネル（ＲＡＣＨ）のリソースを使用するように構成されたランダムアクセスコンポーネントと、
を備える装置。
[Ｃ２２]
前記ランダムアクセスコンポーネントによって使用される前記リソースが、中継通信用に確保された複数のリソースのうちの１つである、Ｃ２１に記載の装置。
[Ｃ２３]
前記ランダムアクセスコンポーネントは、
中継器固有のＲＡＣＨメッセージを前記基地局に送信し、
前記基地局から中継器固有のＲＡＣＨ応答を受信する、
ようにさらに構成されている、Ｃ２１に記載の装置。
[Ｃ２４]
前記ランダムアクセスコンポーネントが、中継物理ダウンリンク制御チャネル（Ｒ−ＰＤＣＣＨ）を経由して前記中継器固有のＲＡＣＨ応答を受信するようにさらに構成されている、Ｃ２３に記載の装置。
[Ｃ２５]
前記無線リンク障害を検出した後で待機期間の間、遅らせ、前記待機期間の満了後に１つまたは複数のユーザ装置（ＵＥ）を解放するように構成された接続コンポーネント、
をさらに備える、Ｃ２１に記載の装置。
[Ｃ２６]
ワイヤレス通信に関する装置であって、
中継器との無線リンクの障害に応答して、前記中継器と別の無線リンクを確立するために、前記中継器による使用のために指定された中継器固有のランダムアクセスチャネル（ＲＡＣＨ）のリソースを使用するように構成されたランダムアクセスコンポーネント、
を備える装置。
[Ｃ２７]
前記ランダムアクセスコンポーネントは、
前記中継器から中継器固有のＲＡＣＨメッセージを受信し、
中継器固有のＲＡＣＨ応答を前記中継器に送信する、
ようにさらに構成されている、
Ｃ２６に記載の装置。
[Ｃ２８]
前記ランダムアクセスコンポーネントは、中継物理ダウンリンク制御チャネル（Ｒ−ＰＤＣＣＨ）を経由して前記中継器固有のＲＡＣＨ応答を送信するようにさらに構成されている、Ｃ２７に記載の装置。
[Ｃ２９]
前記ランダムアクセスコンポーネントは、前記中継器固有のＲＡＣＨ用に確保された複数のリソースの中から前記リソースを割り振るようにさらに構成されている、Ｃ２６に記載の装置。
[Ｃ３０]
前記ランダムアクセスコンポーネントによって使用される前記リソースは、中継通信用に確保された複数のリソースのうちの１つである、Ｃ２６に記載の装置。
[Ｃ３１]
ワイヤレス通信に関する装置であって、
基地局との無線リンクの障害を検出するための手段と、
前記無線リンク障害を検出した後で待機期間の間、遅らせるための手段と、
前記待機期間の満了後に１つまたは複数のユーザ装置（ＵＥ）を解放するための手段と
を備える装置。
[Ｃ３２]
検出するための前記手段は、無線リンク障害タイマの満了時に前記無線リンクの前記障害を検出するように構成されている、Ｃ３１に記載の装置。
[Ｃ３３]
前記無線リンク障害タイマは、中継器固有の無線リンク障害タイマを備える、Ｃ３２に記載の装置。
[Ｃ３４]
前記待機期間の満了後にブロードキャストチャネルの送信を中止するための手段、
をさらに備える、Ｃ３１に記載の装置。
[Ｃ３５]
前記待機期間の間、遅らせるための前記手段は、前記無線リンクの前記障害を検出した後でＵＥ解放タイマを起動させるように構成され、前記ＵＥは前記ＵＥ解放タイマの満了後に解放される、Ｃ３１に記載の装置。
[Ｃ３６]
ワイヤレス通信に関する装置であって、
基地局との無線リンクの障害を検出するための手段と、
前記基地局と別の無線リンクを確立するために、前記装置による使用のために指定された中継器固有のランダムアクセスチャネル（ＲＡＣＨ）のリソースを使用するための手段と、
を備える装置。
[Ｃ３７]
前記リソースは、中継通信用に確保された複数のリソースのうちの１つである、Ｃ３６に記載の装置。
[Ｃ３８]
使用するための前記手段は、
前記基地局に中継器固有のＲＡＣＨメッセージを送信するための手段と、
前記基地局から中継器固有のＲＡＣＨ応答を受信するための手段と、
を備える、Ｃ３６に記載の装置。
[Ｃ３９]
前記中継器固有のＲＡＣＨ応答は、中継物理ダウンリンク制御チャネル（Ｒ−ＰＤＣＣＨ）を経由して受信される、Ｃ３８に記載の装置。
[Ｃ４０]
前記無線リンク障害を検出した後で待機期間の間、遅らせるための手段と、
前記待機期間の満了後に１つまたは複数のユーザ装置（ＵＥ）を解放するための手段と、
をさらに備える、Ｃ３６に記載の装置。
[Ｃ４１]
ワイヤレス通信に関する装置であって、
中継器との無線リンクの障害に応答して、前記中継器と別の無線リンクを確立するために、前記中継器固有のランダムアクセスチャネル（ＲＡＣＨ）のリソースを使用する手段を備える、ここで、前記リソースは前記中継器に用いられるために指定される。
[Ｃ４２]
使用するための前記手段は、
前記中継器から中継器固有のＲＡＣＨメッセージを受信するための手段と、
中継器固有のＲＡＣＨ応答を前記中継器に送信するための手段と、
を備える、Ｃ４１に記載の装置。
[Ｃ４３]
前記中継器固有のＲＡＣＨ応答は、中継物理ダウンリンク制御チャネル（Ｒ−ＰＤＣＣＨ）を経由して送信される、Ｃ４２に記載の装置。
[Ｃ４４]
前記中継器固有のＲＡＣＨ用に確保された複数のリソースの中から前記リソースを割り振るための手段、
をさらに備える、Ｃ４１に記載の装置。
[Ｃ４５]
前記リソースは、中継通信用に確保された複数のリソースのうちの１つである、Ｃ４１に記載の装置。
[Ｃ４６]
命令を記憶したコンピュータ可読媒体を備えたコンピュータプログラム製品であって、前記命令は、
中継器において、基地局との無線リンクの障害を検出し、
前記無線リンク障害を検出した後で待機期間の間、遅らせ、
前記待機期間の満了後に１つまたは複数のユーザ装置（ＵＥ）を解放する、ために、
１つまたは複数のプロセッサによって実行可能である、
コンピュータプログラム製品。
[Ｃ４７]
検出するための前記命令は、無線リンク障害タイマの満了時に前記無線リンクの前記障害を検出するための命令を備える、Ｃ４６に記載のコンピュータプログラム製品。
[Ｃ４８]
前記無線リンク障害タイマは、中継器固有の無線リンク障害タイマを備える、Ｃ４７に記載のコンピュータプログラム製品。
[Ｃ４９]
前記命令は、
前記待機期間の満了後にブロードキャストチャネルの送信を中止するための命令を
さらに備える、Ｃ４６に記載のコンピュータプログラム製品。
[Ｃ５０]
前記待機期間の間、遅らせるための前記命令は、前記無線リンクの前記障害を検出した後でＵＥ解放タイマを起動させるための命令を備え、前記ＵＥは前記ＵＥ解放タイマの満了後に解放される、Ｃ４６に記載のコンピュータプログラム製品。
[Ｃ５１]
命令を記憶したコンピュータ可読媒体を備えたコンピュータプログラム製品であって、前記命令は、
中継器において、基地局との無線リンクの障害を検出し、
前記基地局と別の無線リンクを確立するために、前記中継器による使用のために指定された中継器固有のランダムアクセスチャネル（ＲＡＣＨ）のリソースを使用する、
ために、１つまたは複数のプロセッサによって実行可能である、
コンピュータプログラム製品。
[Ｃ５２]
前記リソースは、中継通信用に確保された複数のリソースのうちの１つである、Ｃ５１に記載のコンピュータプログラム製品。
[Ｃ５３]
使用するための前記命令は、
中継器固有のＲＡＣＨメッセージを前記基地局に送信するための命令と、
前記基地局から中継器固有のＲＡＣＨ応答を受信するための命令と
を備える、Ｃ５１に記載のコンピュータプログラム製品。
[Ｃ５４]
前記中継器固有のＲＡＣＨ応答が、中継物理ダウンリンク制御チャネル（Ｒ−ＰＤＣＣＨ）を経由して受信される、Ｃ５３に記載のコンピュータプログラム製品。
[Ｃ５５]
前記無線リンク障害を検出した後で待機期間の間、遅らせるための命令と、
前記待機期間の満了後に１つまたは複数のユーザ装置（ＵＥ）を解放するための命令と、
をさらに備える、Ｃ５１に記載のコンピュータプログラム製品。
[Ｃ５６]
コンピュータプログラム製品は、命令を記憶したコンピュータ可読媒体を備え、
ここで、前記命令は、１つまたは複数のプロセッサによって実行可能であり、
中継器との無線リンクの障害に応答して、基地局において、前記命令が、前記中継器と他の無線リンクを確立するために、中継器固有のランダムアクセスチャネル（ＲＡＣＨ）のリソースを用いて、
１つまたは複数のプロセッサによって実行可能である、
ここで、前記リソースは、前記中継器によって用いられるために指定される
。
[Ｃ５７]
使用するための前記命令が、
前記中継器から中継器固有のＲＡＣＨメッセージを受信するための命令と、
中継器固有のＲＡＣＨ応答を前記中継器に送信するための命令と
を備える、Ｃ５６に記載のコンピュータプログラム製品。
[Ｃ５８]
前記中継器固有のＲＡＣＨ応答が、中継物理ダウンリンク制御チャネル（Ｒ−ＰＤＣＣＨ）を経由して送信される、Ｃ５７に記載のコンピュータプログラム製品。
[Ｃ５９]
前記中継器固有のＲＡＣＨ用に確保された複数のリソースの中から前記リソースを割り振るための命令
をさらに備える、Ｃ５６に記載のコンピュータプログラム製品。
[Ｃ６０]
前記リソースは、中継通信用に確保された複数のリソースのうちの１つである、Ｃ５６に記載のコンピュータプログラム製品。
【外国語明細書】
2014222882000001.pdf